(57)【要約】【課題】新規な防犯装置を提供する。または、犯罪が発生したことの立証に有用な情報を保全することができる新規な情報処理装置を提供する。【解決手段】筐体を把持する手を用いて操作できるように配置される開閉器と、開閉器の動作に伴いパルス状の光を射出する発光素子と、パルス状の光を照射する方向を撮影し、画像情報を供給する撮像部と、画像情報を通信網に送信する通信部と、を含む構成に想到した。これにより、使用者が防犯装置を用いてパルス状の光を暴漢等に照射して、犯罪の発生を防ぐことができる。または、犯罪が発生したときの画像を含む情報を通信網に送信することができる。【選択図】図１
2020095734.tif 000002
【特許請求の範囲】
【請求項１】
筐体と、
前記筐体の第１の面に設けられた発光素子と、
前記筐体の前記第１の面に設けられた撮像部と、
位置情報取得回路と、
通信部と、を有し、
前記撮像部は、前記発光素子に囲まれている防犯装置。
【請求項２】
筐体と、
開閉器と、
前記筐体の第１の面に設けられた発光素子と、
前記筐体の前記第１の面に設けられた撮像部と、
位置情報取得回路と、
通信部と、を有し、
前記撮像部は、前記発光素子に囲まれており、
前記開閉器の動作に伴い、前記発光素子は、光を射出し、
前記撮像部で取得した画像と、前記位置情報取得回路で取得した位置情報と、を前記通信部から通信網へ送信する防犯装置。
【請求項３】
筐体と、
前記筐体の第１の面に設けられた発光素子と、
前記筐体の前記第１の面に設けられたレンズと、
位置情報取得回路と、
通信部と、を有し、
前記レンズは、前記発光素子に囲まれている防犯装置。
【請求項４】
筐体と、
開閉器と、
前記筐体の第１の面に設けられた発光素子と、
前記筐体の前記第１の面に設けられたレンズと、
位置情報取得回路と、
通信部と、を有し、
前記レンズは、前記発光素子に囲まれており、
前記開閉器の動作に伴い、前記発光素子は、光を射出し、
前記レンズを介して取得した画像と、前記位置情報取得回路で取得した位置情報と、を前記通信部から通信網へ送信する防犯装置。
【請求項５】
請求項１乃至４のいずれか一において、
前記発光素子から射出される光は、パルス状である防犯装置。
【発明の詳細な説明】
【技術分野】
【０００１】
本発明は、物、方法、または、製造方法に関する。または、本発明は、プロセス、マシン
、マニュファクチャ、または、組成物（コンポジション・オブ・マター）に関する。特に
、本発明は、例えば、半導体装置、表示装置、発光装置、蓄電装置、照明装置、それらの
駆動方法、または、それらの製造方法に関する。特に、本発明は、例えば、防犯装置、情
報処理装置に関する。
【背景技術】
【０００２】
情報伝達手段に係る社会基盤が充実されている。これにより、多様で潤沢な情報を職場や
自宅だけでなく外出先でも情報処理装置を用いて取得、加工または発信できるようになっ
ている。
【０００３】
このような背景において、携帯可能な情報処理装置が盛んに開発されている。
【０００４】
また、有機ＥＬ素子は膜状に形成することが可能であるため、大面積の素子を容易に形成
することができ、照明等に応用できる面光源としての利用価値も高い。
【０００５】
例えば、特許文献１には、有機ＥＬ素子を用いた照明器具が開示されている。
【先行技術文献】
【特許文献】
【０００６】
【特許文献１】特開２００９−１３０１３２号公報
【発明の概要】
【発明が解決しようとする課題】
【０００７】
本発明の一態様は、新規な防犯装置を提供することを課題の一とする。または、新規な情
報処理装置を提供することを課題の一とする。または、新規な照明装置を提供することを
課題の一とする。
【０００８】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【０００９】
本発明の一態様は、筐体と、筐体を把持する手を用いて操作できるように配置される開閉
器と、開閉器を含み、開閉器が動作するとスタート信号を供給するスタートスイッチ回路
と、スタート信号が供給され、制御パルス信号およびシャッタ信号を供給するマイコンと
、制御パルス信号と定電流が供給され、定電流パルスを供給する開閉回路と、定電流を供
給する定電流電源と、定電流パルスが供給され、パルス状の光を筐体の外側に射出する発
光素子と、シャッタ信号が供給され、パルス状の光を照射する方向を撮影し画像情報を供
給する撮像部と、画像情報を通信網に送信する通信部と、を有する防犯装置である。
【００１０】
本発明の一態様は、筐体と、筐体を把持する手を用いて操作できるように配置される開閉
器と、開閉器を含み、開閉器が動作するとスタート信号を供給するスタートスイッチ回路
と、スタート信号が供給され、制御パルス信号およびシャッタ信号を供給するマイコンと
、制御パルス信号が供給され、定電流パルスを供給する定電流電源と、定電流パルスが供
給され、パルス状の光を筐体の外側に射出する発光素子と、シャッタ信号が供給され、パ
ルス状の光を照射する方向を撮影し画像情報を供給する撮像部と、画像情報を通信網に送
信する通信部と、を有する防犯装置である。
【００１１】
上記本発明の一態様の防犯装置は、筐体を把持する手を用いて操作できるように配置され
る開閉器と、開閉器の動作に伴いパルス状の光を射出する発光素子と、パルス状の光を照
射する方向を撮影し、画像情報を供給する撮像部と、画像情報を通信網に送信する通信部
と、を含んで構成される。これにより、使用者が防犯装置を用いてパルス状の光を暴漢等
に照射して、犯罪の発生を防ぐことができる。または、犯罪現場の画像を含む情報を通信
網に送信することができる。その結果、新規な防犯装置を提供することができる。または
、犯罪が発生したことの立証に有用な情報を保全することができる新規な情報処理装置を
提供することができる。または、新規な照明装置、防犯装置、情報処理装置などを提供す
ることができる。なお、これらの効果の記載は、他の効果の存在を妨げるものではない。
なお、本発明の一態様は、必ずしも、これらの効果の全てを有する必要はない。なお、こ
れら以外の効果は、明細書、図面、請求項などの記載から、自ずと明らかとなるものであ
り、明細書、図面、請求項などの記載から、これら以外の効果を抽出することが可能であ
る。
【００１２】
また、本発明の一態様は、スタートスイッチ回路が、複数の開閉器の動作に基づいてスタ
ート信号を供給し、複数の開閉器は、筐体の第１の面および第１の面と対向する第２の面
等に分配して配置される、上記の防犯装置である。
【００１３】
上記本発明の一態様の防犯装置は、上記の構成に加えて、筐体の対向する複数の面に分配
して配置された複数の開閉器の動作に基づいて、スタート信号を供給するスタートスイッ
チ回路を含んで構成される。これにより、一つの開閉器を操作して動作するスタートスイ
ッチ回路に比べて、誤った操作による動作を防止することができる。その結果、誤操作の
少ない新規な防犯装置を提供することができる。または、犯罪が発生したことの立証に有
用な情報を保全することができる新規な情報処理装置を提供することができる。
【００１４】
また、本発明の一態様は、パルス状の光を照射する方向を監視して検知信号を供給する人
感センサ回路を有し、マイコンは、検知信号およびスタート信号が供給されるときに制御
パルス信号およびシャッタ信号を供給する、上記の防犯装置である。
【００１５】
上記本発明の一態様の防犯装置は、上記の構成に加えて、使用者が光を照射しようとする
方向に人がいるか否かを検知する人感センサ回路を含んで構成される。これにより、誤っ
て人が居ない方向にパルス状の光を照射しにくくすることができる。その結果、誤操作の
少ない新規な防犯装置を提供することができる。または、犯罪が発生したことの立証に有
用な情報を保全することができる新規な情報処理装置を提供することができる。
【００１６】
また、本発明の一態様は、発光素子が有機ＥＬ素子である、上記の防犯装置である。
【００１７】
上記本発明の一態様の防犯装置は、上記の構成に加えて有機ＥＬ素子を含む。これにより
、発光面積を大きく、防犯装置を薄く且つ軽くできる。その結果、新規な防犯装置を提供
することができる。または、犯罪が発生したことの立証に有用な情報を保全することがで
きる新規な情報処理装置を提供することができる。
【００１８】
また、本発明の一態様は、撮像部は、撮像素子および撮像素子上に像を形成する光学系を
備え、筐体は、発光素子および発光素子に隣接して光学系を一の面に備える、上記の防犯
装置である。
【００１９】
上記本発明の一態様の防犯装置は、上記の構成に加えて、筐体の一の面に発光素子および
光学系が配置される構成を含む。これにより、撮像部が撮影する方向をパルス状の光を照
射する方向に容易に向けることができる。その結果、新規な防犯装置を提供することがで
きる。または、犯罪が発生したことの立証に有用な情報を保全することができる新規な情
報処理装置を提供することができる。
【００２０】
また、本発明の一態様は、シャッタ信号が供給され、全地球測位網（ＧＰＳ：Ｇｌｏｂａ
ｌ  Ｐｏｓｉｔｉｏｎｉｎｇ  Ｓｙｓｔｅｍ）から取得する位置情報を供給することがで
きる位置情報取得回路を有し、通信部は、位置情報を通信網に送信する、上記の防犯装置
である。
【００２１】
上記本発明の一態様の防犯装置は、上記の構成に加えて位置情報取得回路を含んで構成さ
れる。これにより、使用者が防犯装置を動作させた場所の位置情報を単独でまたは犯罪が
発生したときの画像を含む情報または／および救済を要請する伝言を含む情報と共に通信
網に送信して、犯罪が発生したことの立証に有用な画像情報を保全できる。その結果、新
規な防犯装置を提供することができる。または、犯罪が発生したことの立証に有用な情報
を保全することができる新規な情報処理装置を提供することができる。
【００２２】
また、本発明の一態様は、画像情報、位置情報および操作命令が供給され、通信情報およ
び表示情報を供給する演算部と、通信情報および表示情報が供給され、画像情報、位置情
報および操作命令を供給する入出力部と、演算部および入出力部を収納する筐体と、を有
する情報処理装置である。
【００２３】
そして、入出力部は、筐体を把持する手を用いて操作できるように配置される開閉器と、
開閉器を含み開閉器が動作するとスタート信号を供給するスタートスイッチ回路と、スタ
ート信号が供給され、制御パルス信号およびシャッタ信号を供給するマイコンと、制御パ
ルス信号と定電流が供給され、定電流パルスを供給する開閉回路と、定電流を供給する定
電流電源と、定電流パルスが供給されパルス状の光を筐体の外側に射出する発光素子と、
シャッタ信号が供給され、パルス状の光を照射する方向を撮影し画像情報を供給する撮像
部と、シャッタ信号が供給され、位置情報を供給することができる位置情報取得回路と、
通信情報を通信網に送信する通信部と、操作命令を供給する入力機構と、表示情報が供給
され、表示情報を表示する表示部と、を備える。また、通信部は、画像情報を通信網に送
信する。
【００２４】
上記本発明の一態様の情報処理装置は、筐体を把持する手を用いて操作できるように配置
される開閉器と、開閉器の動作に伴いパルス状の光を射出する発光素子と、パルス状の光
を照射する方向を撮影し、画像情報を供給する撮像部と、画像情報を通信網に送信する通
信部と、を含んで構成される。これにより、使用者が情報処理装置を用いてパルス状の光
を暴漢等に照射して、犯罪の発生を防ぐことができる。または、犯罪が発生したときの画
像を含む情報を通信網に送信することができる。その結果、犯罪が発生したことの立証に
有用な情報を保全することができる新規な情報処理装置を提供することができる。
【発明の効果】
【００２５】
本発明の一態様によれば、新規な防犯装置を提供することができる。または、犯罪が発生
したことの立証に有用な情報を保全することができる新規な情報処理装置を提供すること
ができる。
【図面の簡単な説明】
【００２６】
【図１】実施の形態に係る防犯装置の構成を説明するブロック図および使用状態を説明する図。
【図２】実施の形態に係る防犯装置の構成を説明する図。
【図３】実施の形態に係る防犯装置の構成を説明するブロック図および使用状態を説明する図。
【図４】実施の形態に係る防犯装置の構成を説明するブロック図および使用状態を説明する図。
【図５】実施の形態に係る防犯装置の構成を説明するブロック図。
【図６】実施の形態に係る情報処理装置の構成を説明するブロック図。
【図７】実施の形態に係る情報処理装置の外形を説明する外観図。
【図８】発光パネルを説明する図。
【図９】発光パネルを説明する図。
【図１０】発光パネルを説明する図。
【図１１】発光パネルを説明する図。
【図１２】発光素子を説明する図。
【図１３】電子機器を説明する図。
【図１４】電子機器を説明する図。
【図１５】発光装置を説明する図。
【図１６】実施例の発光パネルの電圧−輝度特性を示す図。
【図１７】実施例の発光パネルの発光スペクトルを示す図。
【図１８】発光装置を説明する図。
【図１９】実施例の発光パネルの電圧−輝度特性を示す図。
【図２０】実施例の発光パネルの発光スペクトルを示す図。
【発明を実施するための形態】
【００２７】
本発明の一態様の防犯装置は、筐体を把持する手を用いて操作できるように配置される開
閉器と、開閉器の動作に伴いパルス状の光を射出する発光素子と、パルス状の光を照射す
る方向を撮影し、画像情報を供給する撮像部と、画像情報を通信網に送信する通信部と、
を含んで構成される。
【００２８】
これにより、使用者が防犯装置を用いてパルス状の光を暴漢等に照射して、犯罪の発生を
防ぐことができる。または、犯罪が発生したときの画像を含む情報を通信網に送信するこ
とができる。その結果、新規な防犯装置を提供することができる。または、犯罪が発生し
たことの立証に有用な情報を保全することができる新規な情報処理装置を提供することが
できる。
【００２９】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００３０】
（実施の形態１）
本実施の形態では、本発明の一態様の防犯装置の構成について、図１および図２を参照し
ながら説明する。
【００３１】
図１（Ａ）は本発明の一態様の防犯装置１００の構成を説明するブロック図である。図１
（Ｂ）は図１（Ａ）に示す防犯装置１００の構成と使用状態を説明する外観図である。図
１（Ｃ）は図１（Ａ）に示す防犯装置１００の外観を説明する六面図である。
【００３２】
図２は、防犯装置１００の定電流電源１４０が定電流パルスを発光素子１２０に供給する
構成を説明する図である。
【００３３】
本実施の形態で説明する防犯装置１００は、筐体１０１と、筐体１０１を把持する手を用
いて操作できるように配置される開閉器１３２と、開閉器１３２を含み開閉器１３２が動
作するとスタート信号を供給するスタートスイッチ回路１３１と、を有する（図１（Ａ）
、図１（Ｂ）および図１（Ｃ）参照）。
【００３４】
また、防犯装置１００は、スタート信号が供給され、制御パルス信号およびシャッタ信号
を供給するマイコン１３７と、制御パルス信号と定電流が供給され、定電流パルスを供給
する開閉回路１１０と、定電流を供給する定電流電源１４０と、定電流パルスが供給され
、パルス状の光を筐体１０１の外側に射出する発光素子１２０と、を有する。
【００３５】
また、防犯装置１００は、シャッタ信号が供給され、パルス状の光を照射する方向を撮影
し画像情報を供給する撮像部１５０と、画像情報を通信網に送信する通信部１９０と、を
有する。
【００３６】
上記本発明の一態様の防犯装置１００は、筐体１０１を把持する手を用いて操作できるよ
うに配置される開閉器１３２と、開閉器１３２の動作に伴いパルス状の光を射出する発光
素子１２０と、パルス状の光を照射する方向を撮影し、画像情報を供給する撮像部１５０
と、画像情報を通信網に送信する通信部１９０と、を含んで構成される。これにより、使
用者が防犯装置を用いてパルス状の光を暴漢等に照射して、犯罪の発生を防ぐことができ
る。または、犯罪が発生したときの画像を含む情報を通信網に送信することができる。そ
の結果、新規な防犯装置を提供することができる。または、犯罪が発生したことの立証に
有用な情報を保全することができる新規な情報処理装置を提供することができる。
【００３７】
また、本実施の形態で説明する防犯装置１００は、可変抵抗１３６を含み、パルス間隔変
調信号を供給するパルス間隔変調回路１３５を有する。
【００３８】
＜防犯装置＞
以下に、防犯装置１００を構成する個々の要素について説明する。
【００３９】
《筐体》
筐体１０１は、発光素子１２０、撮像部１５０および開閉器が配置される（図１（Ｂ））
。
【００４０】
筐体１０１の大きさは防犯装置１００の使用者が把持できる程度が好ましく、特に片手で
把持できる程度が好ましい。例えば、筐体１０１は、拇指、人差し指および中指を用いて
把持することができる。
【００４１】
開閉器は筐体１０１を把持する手を用いて操作できる位置に配置される。
【００４２】
特に、スタートスイッチ回路１３１は、複数の開閉器が動作するときスタート信号を供給
する構成が好ましい。複数の開閉器（開閉器１３２ａ、開閉器１３２ｂ、開閉器１３２ｃ
および開閉器１３２ｄ）は、筐体１０１の第１の面１０１ａおよび第１の面１０１ａと対
向する第２の面１０１ｂ等に分配して配置される（図１（Ｃ）参照）。
【００４３】
防犯装置１００は、筐体１０１の対向する複数の面に分配して配置された複数の開閉器１
３２の動作に基づいて、スタート信号を供給するスタートスイッチ回路１３１を含んで構
成される。これにより、一つの開閉器を操作して動作するスタートスイッチ回路に比べて
、誤った操作によるスタートスイッチ回路１３１の動作を防止することができる。その結
果、誤操作の少ない新規な防犯装置を提供することができる。または、犯罪が発生したこ
との立証に有用な情報を保全することができる新規な情報処理装置を提供することができ
る。
【００４４】
例えば、筐体１０１の発光素子１２０が配置されていない部分に、開閉器１３２ａ、開閉
器１３２ｂ、開閉器１３２ｃおよび開閉器１３２ｄが配置される。これにより、予期しな
いときに暴漢等（加害者ともいう）に襲われた使用者（被害者ともいう）が、確実に発光
素子１２０を暴漢等に向けることができる。または容易に防犯装置１００を操作してパル
ス状の光を照射できる。
【００４５】
また、ストラップ１３２ｓの端部が取り付けられた開閉器１３２ｔを筐体１０１に配置し
てもよい。一方の手で筐体１０１を把持して、他方の手でストラップ１３２ｓを引き抜く
ことで開閉器１３２ｔが動作する構成とすることができる。
【００４６】
また、複数の開閉器を操作したときに防犯装置１００が動作する構成とすることもできる
。これにより、防犯装置の使用者が誤って防犯装置１００を動作させてしまう不具合の発
生を抑制できる。
【００４７】
例えば、開閉器１３２ａ、開閉器１３２ｂ、開閉器１３２ｃおよび開閉器１３２ｄから選
ばれた複数の開閉器が操作されたときに、防犯装置１００が動作する構成とすることがで
きる。または、一方の手でいずれかの開閉器を押下しながら他方の手でストラップ１３２
ｓを引き抜くことで、防犯装置１００が動作する構成とすることができる。
【００４８】
《スタートスイッチ回路》
スタートスイッチ回路１３１はスタート信号を供給することができる。スタートスイッチ
回路１３１は開閉器１３２を備え、開閉器１３２が操作されている期間、スタート信号と
してハイ又はロウを供給する（図１（Ａ）参照）。
【００４９】
なお、スタートスイッチ回路１３１から制御パルス信号を供給することもできる。例えば
、開閉器１３２、ラッチ回路およびモノステイブル・マルチバイブレータを用いて、スタ
ートスイッチ回路１３１を構成することができる。
【００５０】
具体的には、開閉器１３２を用いてラッチ回路にハイまたはロウの信号を供給し、ラッチ
回路はトリガ信号を供給し、トリガ信号が供給されたモノステイブル・マルチバイブレー
タは、所定の幅を有する矩形波を、制御パルス信号として供給する。
【００５１】
《パルス間隔変調回路》
パルス間隔変調回路１３５は、パルス間隔変調信号を供給することができる。例えば、可
変抵抗１３６を用いて変化した電圧をパルス間隔変調信号に用いることができる。パルス
間隔は発光素子１２０が発する光を暴漢等がパルス状の光と感じる程度にすることができ
る。具体的には６０Ｈｚ未満、２０Ｈｚ以下が好ましく、特に５Ｈｚ以下が好ましい。ま
た、間隔は一定でなく、不規則であってもよい。
【００５２】
《マイコン》
マイコン１３７は、スタート信号及びパルス間隔変調信号が供給され、制御パルス信号お
よびシャッタ信号を供給することができる。
【００５３】
マイコン１３７は、演算部ＣＰＵ、タイマ部ＴＩＭＥＲ、アナログデジタルコンバータＡ
ＤＣ、入出力部Ｉ／Ｏ、記憶部ＭＥＭ、及び、データ信号を伝送する伝送路を備える。
【００５４】
入出力部Ｉ／Ｏは、スタート信号及びパルス間隔変調信号が供給され、制御パルス信号お
よびシャッタ信号を供給することができる。
【００５５】
アナログデジタルコンバータＡＤＣは、アナログ信号をデジタル信号に変換する。例えば
、供給されるパルス間隔変調信号をデジタル信号に変換して供給する。
【００５６】
演算部ＣＰＵは、供給されたデータを、記憶部ＭＥＭに記憶されたプログラムに従って処
理して、処理したデータを供給する。
【００５７】
タイマ部ＴＩＭＥＲは、命令に従って所定の時間を計測し、所定の時間の経過後に制御パ
ルス信号およびシャッタ信号をおよそ同時に供給できる。または、所定の時間毎に繰り返
し供給できる。
【００５８】
タイマ部ＴＩＭＥＲは、制御パルス信号の幅（半値幅）を決定する時間を計測できる。例
えば、１ミリ秒以上１０００ミリ秒以下、好ましくは１０ミリ秒以上１００ミリ秒以下を
制御パルス信号の所定の幅とすることができる。
【００５９】
これにより、使用者が防犯装置を用いてパルス状の光を暴漢等に一回または繰り返し照射
して、暴漢等を威圧することができる。その結果、犯罪の発生を防ぐことができる。また
は、犯罪が発生したときの画像を撮像部１５０が撮影し、犯罪が発生したことの立証に有
用な情報を保全することができる。
【００６０】
記憶部ＭＥＭは、演算部ＣＰＵに実行させるプログラムを記憶する。
【００６１】
例えば、スタート信号が供給される期間が所定の時間より短い場合、マイコン１３７は制
御パルス信号を一回供給する。
【００６２】
また、スタート信号が供給される期間が所定の時間又は所定の時間より長い場合、マイコ
ン１３７は、パルス間隔変調信号に応じた間隔で、制御パルス信号およびシャッタ信号を
複数回供給する。
【００６３】
マイコン１３７が複数回供給する制御パルス信号およびシャッタ信号の回数を、所定の数
とすることができる。または、スタート信号が供給され続けている期間において、供給可
能な数とすることができる。または、ひとたび途絶えたスタート信号が再度供給されるま
での期間において、供給可能な数とすることができる。
【００６４】
なお、シャッタ信号を制御パルス信号毎に供給してもよいし、所定の回数の制御パルス信
号毎または所定の回数の制御パルスと共に供給してもよい。
【００６５】
以下に、制御パルス信号をスタート信号が再度供給されるまで間欠的に供給し続けること
ができる構成について説明する。
【００６６】
開閉器１３２を用いて待機状態のマイコン１３７にハイ又はロウのスタート信号を供給す
る。マイコン１３７は制御パルス信号として所定の幅を有する矩形波を開閉回路１１０に
供給し、且つ、スタート信号が供給されている時間を計測する。
【００６７】
スタート信号が供給される期間が所定の時間より短い場合、マイコン１３７は制御パルス
信号を一回供給した後、待機状態に復帰する。
【００６８】
スタート信号が供給される期間が所定の時間又は所定の時間より長い場合、マイコン１３
７は所定のパルス間隔を、パルス間隔変調信号を変換したデジタル信号に応じて決定し、
スタート信号が再度供給されるまでの期間、制御パルス信号を所定のパルス間隔で間欠的
に供給し続ける。
【００６９】
《定電流電源》
定電流電源１４０は、第１の電圧を供給する電池と、第１の電圧が供給され第１の電圧よ
り高い第２の電圧を供給する第１のＤＣＤＣコンバータと、第２の電圧が供給され電荷を
供給するコンデンサと、電荷が供給され定電流を供給することができる第２のＤＣＤＣコ
ンバータと、を有する（図２（Ａ）参照）。
【００７０】
なお、一次電池または二次電池を電池に適用できる。二次電池としては、ニッケル水素電
池、鉛蓄電池、リチウムイオン電池等を適用できる。
【００７１】
また、複数の電池を備えていてもよい。発光素子１２０を発光させ、撮像部１５０を用い
て画像を撮影するために一方を用い、通信部１９０を用いて画像を送信するために他方を
用いてもよい。これにより、発光素子１２０の発光と撮像部１５０を用いた撮影に、一方
の電池を消費してしまった場合、通信部１９０が、取得した画像情報や位置情報を他方の
電池を用いて送信することができる。
【００７２】
他方の電池は、非常用ということができ、非常事態において通信部１９０を用いて通信し
、連絡することができる。特に、電気二重層キャパシタが他方の電池に好ましい。
【００７３】
第１のＤＣＤＣコンバータは、電池の電圧（第１の電圧）を昇圧して第２の電圧を供給す
る。
【００７４】
コンデンサは、第２の電圧で充電される。
【００７５】
第２のＤＣＤＣコンバータは、コンデンサに蓄えられた電荷が供給され、定電流を供給す
る。
【００７６】
定電流電源１４０が供給する電流の時間の経過に伴う変化の一例を図２（Ｂ）に示す。
【００７７】
この構成によれば、コンデンサが電荷を第２のＤＣＤＣコンバータに供給する間において
、第２のＤＣＤＣコンバータは定電流を供給することができる。なお、コンデンサに蓄え
られた電荷が所定の量を下回ると、第２のＤＣＤＣコンバータは定電流を供給できなくな
る。
【００７８】
定電流電源１４０は、少なくともマイコン１３７が供給する制御パルス信号の幅（例えば
５０ミリ秒）より長く、定電流を供給することができる。
【００７９】
なお、電流が開閉回路１１０を流れると、コンデンサに蓄えられた電荷が消費される。こ
れにより、定電流電源１４０は定電流を供給し続けることができなくなり、矩形波でない
電流が発光素子１２０に流れる。その結果、発光素子１２０が所定の輝度より低い輝度で
発光することになる。
【００８０】
所定の輝度より低く眩しさに欠ける光は、暴漢等を威圧する効果に乏しいため、電力が無
駄に消費されてしまう。
【００８１】
定電流電源１４０が定電流を供給できなくなる前に、開閉回路１１０は電流の供給を停止
する。これにより、不要な電力の消費を抑制できる。なお、開閉回路１１０が供給する電
流の一例を図２（Ｃ）に示す。
【００８２】
《制御回路》
定電流電源１４０が供給する電流の大きさを、防犯装置１００が使用される環境の明るさ
、暴漢等までの距離または発光素子の使用履歴に応じて制御してもよい（図２（Ｄ）参照
）。
【００８３】
防犯装置１００は、検知信号を供給するセンサ、検知信号が供給され制御信号を供給する
制御回路１４５を有し、定電流電源１４０が制御信号を供給され、制御信号に応じた大き
さの定電流を供給する構成とすることができる。
【００８４】
定電流電源１４０が供給する電流の大きさを制御する方法としては、制御信号を用いて第
２のＤＣＤＣコンバータを制御すればよい。
【００８５】
検知信号を供給するセンサとしては、例えば、防犯装置１００が使用される環境の明るさ
を検知する光センサまたは暴漢等までの距離を検知する距離センサ等を挙げることができ
る。具体的には、フォトダイオードや超音波センサ等を適用できる。
【００８６】
また、発光素子１２０の劣化の程度を、発光素子１２０の使用履歴を記憶する記憶回路を
用いて予測してもよい。発光素子１２０の使用に伴う劣化を補完するように、定電流電源
１４０が供給する電流の大きさを制御してもよい。
【００８７】
《開閉回路》
開閉回路１１０は、定電流と制御パルス信号が供給されている間、定電流パルスを発光素
子１２０に供給する。
【００８８】
例えば、パワートランジスタを開閉回路１１０に適用できる。具体的には、パワートラン
ジスタのゲートに制御パルス信号を供給し、第１の電極に定電流を供給し、第２の電極に
発光素子１２０を電気的に接続して、開閉回路１１０を構成できる。例えば、２Ａの電流
を５０ミリ秒の間、発光素子１２０に供給することができる。
【００８９】
《発光素子》
発光素子１２０は、点光源、線光源、面光源のいずれも用いることができる。例えば、発
光ダイオードやキセノンランプ、有機ＥＬ素子等を発光素子１２０に適用できる。
【００９０】
発光素子１２０は単数を用いても複数を用いてもよい。また、複数の発光素子を一の支持
基板に設けた発光パネルを用いることもできる。
【００９１】
また、複数の発光素子を用いてもよく、各発光素子が異なる色を呈する光を射出する構成
であってもよい。
【００９２】
また、異なる色を呈する発光素子の色ごとに定電流回路を用意して、異なる色を呈する発
光素子ごとに供給する電流の大きさを独立して制御してもよい。
【００９３】
これにより、射出する光の色や色温度を可変にすることもできる。その結果、撮像部１５
０が被写体、環境、雰囲気等の画像情報を再現よく撮影できる。
【００９４】
また、支持基板等に可撓性を有する材料を用いた可撓性を有する発光パネルは、曲面を有
する筐体に沿わせて配置することができる。これにより、筐体の意匠を損なうことなく発
光装置を配置することができる。例えば、カメラの曲面を有する筐体に沿って、フラッシ
ュを配置することができる。
【００９５】
有機ＥＬ素子を発光素子１２０に適用することができる。有機ＥＬ素子が適用された防犯
装置１００は、発光素子１２０の発光面積を大きく、防犯装置１００を薄く且つ軽くでき
る。
【００９６】
なお、有機ＥＬ素子を用いた発光パネルの構成を実施の形態４において詳細に説明し、有
機ＥＬ素子の構成を実施の形態５において詳細に説明する。
【００９７】
有機ＥＬ素子を用いる発光パネルの発光部の総面積は、例えば０．５ｃｍ２以上１ｍ２以
下であり、好ましくは５ｃｍ２以上２００ｃｍ２以下、より好ましくは１５ｃｍ２以上１
００ｃｍ２以下である。
【００９８】
有機ＥＬ素子を用いる発光パネルの発光時の発光素子を流れる電流密度は、例えば１０ｍ
Ａ／ｃｍ２以上２０００ｍＡ／ｃｍ２以下である。
【００９９】
《撮像部》
撮像部１５０は、シャッタ信号が供給され、パルス状の光を照射する方向を撮影し画像情
報を供給する。
【０１００】
また、撮像部１５０は、撮像素子および撮像素子上に像を形成する光学系１５５を備える
（図１（Ｃ）参照）。
【０１０１】
例えば撮像素子としては電荷結合素子ＣＣＤや相補性金属酸化物半導体ＣＭＯＳを用いる
ことができる。また、光学系１５５としては、レンズ、絞りの他、自動焦点機構等を用い
ることができる。
【０１０２】
そして、筐体１０１は、発光素子１２０および発光素子１２０に隣接して光学系１５５を
一の面１０１ｃに備える。
【０１０３】
例えば、筐体１０１は、発光素子１２０および発光素子１２０に囲まれるように配置され
る光学系１５５を筐体１０１の開閉器が設けられた第１の面１０１ａおよび第１の面１０
１ａと対向する第２の面１０１ｂとは異なる面１０１ｃに配置できる（図１（Ｃ）参照）
。
【０１０４】
これにより、撮像部１５０が撮影する方向をパルス状の光を照射する方向に容易に向ける
ことができる。また、開閉器を操作する指の影にならないように発光素子を配置して、発
光素子の光を有効に使用することができる。その結果、新規な防犯装置を提供することが
できる。または、犯罪が発生したことの立証に有用な情報を保全することができる新規な
情報処理装置を提供することができる。
【０１０５】
シャッタ信号が複数回供給される場合、撮像部１５０は撮影を複数回行い、複数の画像情
報を供給することができる。
【０１０６】
撮像部１５０は、マイク１５６を有していてもよい。シャッタ信号が供給された撮像部１
５０は、画像情報だけでなく、所定の時間音声を録音して、音声情報を供給してもよい。
例えば、撮像部１５０が音声情報を追加情報として画像情報に付加し、音声情報が付加さ
れた画像情報を供給してもよい。
【０１０７】
通信部１９０は、音声情報が付加された画像情報を供給され、所定の宛先に音声情報が付
加された画像情報を送信する。
【０１０８】
《位置情報取得回路》
位置情報取得回路１６０は、シャッタ信号が供給され、位置情報を供給することができる
（図１（Ａ）参照）。
【０１０９】
位置情報取得回路１６０は、例えば航法衛星システム（ＮＳＳ：ｎａｖｉｇａｔｉｏｎ  
ｓａｔｅｌｌｉｔｅ  ｓｙｓｔｅｍ）を用いる。具体的には、全地球測位網（ＧＰＳ：Ｇ
ｌｏｂａｌ  Ｐｏｓｉｔｉｏｎｉｎｇ  Ｓｙｓｔｅｍ）から信号を受信し、解析すること
により位置情報を取得する。なお、位置情報は、緯度と経度等の数値を含む。
【０１１０】
または、位置情報取得回路１６０は、例えば無線ＬＡＮ（Ｌｏｃａｌ  ａｒｅａ  ｎｅｔ
ｗｏｒｋ）のあらかじめ指定された位置であるアクセスポイントからの信号を受信し、そ
の種類と強度を解析することにより位置情報を取得する。
【０１１１】
位置情報取得回路１６０は、取得した位置情報を供給する。
【０１１２】
例えば、位置情報を供給された撮像部１５０が、追加情報として位置情報を画像情報に付
加し、位置情報が付加された画像情報を供給する。通信部１９０は、位置情報が付加され
た画像情報を供給され、所定の宛先に位置情報が付加された画像情報を送信する。
【０１１３】
これにより、使用者が防犯装置を動作させた場所の位置情報を単独でまたは犯罪が発生し
たときの画像を含む情報または／および救済等を要請する伝言を含む情報と共に通信網に
送信して、犯罪が発生したことの立証に有用な画像情報を保全できる。その結果、新規な
防犯装置を提供することができる。または、犯罪が発生したことの立証に有用な情報を保
全することができる新規な情報処理装置を提供することができる。
【０１１４】
《通信部》
通信部１９０は、画像情報が供給され画像情報を通信網に送信する。通信部１９０は、変
調器および増幅器等を有する。通信部１９０は、画像情報または／および位置情報を送信
できればよく、利用する移動通信システムは限定されない。例えば、第３世代以降の移動
通信システムを利用できる。
【０１１５】
通信部１９０は、画像情報または／および位置情報を送信する宛先を記憶する記憶機構を
有する。使用者は宛先を事前に登録することができ、画像情報または／および位置情報の
送信先としては、例えば保護者、家族、学校、警察または／および警備会社等を設定でき
る。また、ソーシャルネットワークサービスに接続して、不特定多数に送信してもよい。
【０１１６】
防犯装置１００の使用者が、防犯装置１００を操作して、シャッタ信号を撮像部に供給す
る。
【０１１７】
シャッタ信号が供給された撮像部１５０は、発光素子１２０が射出するパルス状の光を照
射する方向を撮影する。
【０１１８】
撮像部１５０は、画像情報を生成し通信部１９０に供給する。なお、撮像部に位置情報や
音声情報等が供給された場合は、画像情報に付加する。
【０１１９】
通信部１９０は、画像情報を供給され、あらかじめ登録された送信先に画像情報を送信す
る。
【０１２０】
なお、制御パルス信号の供給後の一連の動作を、防犯装置は速やかに自動的におこなう。
これにより、画像情報の送信の暴漢等による妨害を防ぐことができる。その結果、防犯装
置１００が破壊や廃棄される前に一連の動作を完了できる。
【０１２１】
または、通信部１９０は、位置情報が供給されてもよい。通信部１９０は、供給された位
置情報を単独でもしくは所定の伝言等に位置情報を付加して送信してもよい。
【０１２２】
例えば電話番号、使用者の氏名の他、文章を所定の伝言にすることができる。具体的には
、使用者が子供である場合、保護者等に救済を求める文章「おかあさん、助けて」等を用
いることができる。なお、通信部１９０は、これらの伝言を記憶する記憶回路を備える。
【０１２３】
複数の画像情報が供給される場合、通信部１９０は、複数の画像情報を逐次またはまとめ
て送信することができる。
【０１２４】
通信部１９０は、受信機能を有していてもよい。通信部１９０は、防犯装置１００によっ
て送信された情報を受信した者が送信する操作命令を受信することができる。これにより
、情報の受取人が、防犯装置を遠隔から操作できる。
【０１２５】
また、防犯装置１００が消費する電力を抑制するために、防犯装置１００は救援救助信号
のみを断続的に送信してもよい。
【０１２６】
＜変形例１．＞
本実施の形態の変形例では、本発明の一態様の防犯装置の構成の変形例について、図３（
Ａ）を参照しながら説明する。
【０１２７】
図３は、本実施の形態の変形例の定電流電源１４０Ａが定電流を開閉回路１１０に供給す
る構成を説明する図である。
【０１２８】
本実施の形態の変形例で説明する定電流電源１４０Ａは、交流電源を直流電源に変換する
ＡＣＤＣコンバータを有する点が、図２（Ａ）、（Ｄ）を参照しながら説明する定電流電
源１４０とは異なる。ここでは構成が異なる部分について詳細に説明し、同様の構成を用
いることができる部分は、上記の説明を援用する。
【０１２９】
《定電流電源の変形例》
定電流電源１４０Ａは、交流電源から電力を供給され、直流電流を供給するＡＣＤＣコン
バータと、直流電流が供給されるＤＣＤＣコンバータと、を有する。
【０１３０】
ＡＣＤＣコンバータは、電灯線等の交流電源が供給する電力を、直流電流に変換する。
【０１３１】
ＤＣＤＣコンバータは、直流電流を供給され、定電流に変換して供給する（図３（Ｂ）参
照）。
【０１３２】
開閉回路１１０は、制御パルス信号および定電流を供給され、定電流パルスを供給する（
図３（Ｃ）参照）。
【０１３３】
発光素子１２０は、定電流パルスを供給されパルス状の光を発する。
【０１３４】
この構成によれば、電灯線など安定した電源から常時電力を供給することができる。
【０１３５】
＜変形例２．＞
本実施の形態の変形例では、本発明の一態様の防犯装置の構成の変形例について、図４を
参照しながら説明する。
【０１３６】
図４（Ａ）は本実施の形態の変形例の防犯装置１００Ｂの構成を説明するブロック図であ
り、図４（Ｂ）は本実施の形態の変形例の防犯装置１００Ｂの外観を説明する六面図であ
る。
【０１３７】
なお、本実施の形態の変形例で説明する防犯装置１００Ｂは、検知信号を供給する人感セ
ンサ回路１３３を有する点およびマイコン１３７Ｂが検知信号を供給される点が異なる他
は、防犯装置１００と同じ構成を有する。ここでは構成が異なる部分について詳細に説明
し、同様の構成を用いることができる部分は、上記の説明を援用する。
【０１３８】
本実施の形態の変形例２で説明する防犯装置１００Ｂは、パルス状の光を照射する方向を
監視して検知信号を供給する人感センサ回路１３３を有し、マイコン１３７Ｂは、検知信
号およびスタート信号が供給されるときに制御パルス信号および前記シャッタ信号を供給
する、上記の防犯装置である。
【０１３９】
防犯装置１００Ｂは、使用者が光を照射しようとする方向に人がいるか否かを検知する人
感センサ回路を含んで構成される。これにより、誤って人の居ない方向にパルス状の光を
照射しにくくすることができる。その結果、誤操作の少ない新規な防犯装置を提供するこ
とができる。または、犯罪が発生したことの立証に有用な情報を保全することができる新
規な情報処理装置を提供することができる。
【０１４０】
なお、人感センサをスタートスイッチ回路１３１に適用してもよい。人感センサが人を検
知している状態で開閉器１３２が動作したときに、スタートスイッチ回路１３１がスター
ト信号を供給する構成とすることもできる。
【０１４１】
《人感センサ回路》
人感センサ回路１３３は、人感センサを備え、例えば人感センサが供給する信号を増幅し
て検知信号を供給する。
【０１４２】
人感センサ回路１３３に適用することができる人感センサとしては、例えば、赤外線、超
音波、マイクロ波または可視光などを検知する素子を挙げることができる。
【０１４３】
具体的には、焦電素子、フォトダイオード等を用いることができる。また、画像情報を供
給するＣＣＤカメラやＣＭＯＳカメラ等および供給される画像情報を解析する画像解析装
置を用いて、人感センサを構成することもできる。
【０１４４】
超音波の発信器および圧電素子等またはマイクロ波の発信器およびアンテナ等を組み合わ
せて用いることもできる。
【０１４５】
発光素子１２０が光を照射する方向に人感センサの指向性が合うように、人感センサを配
置する。具体的には、発光素子１２０に隣接して人感センサを筐体１０１の一の面１０１
ｃに配置する。これにより、パルス状の光を照射する方向に人感センサを向けることが容
易になる。
【０１４６】
《マイコン》
マイコン１３７Ｂの記憶部ＭＥＭは、供給された検知信号をアナログ／デジタル変換する
ステップと、検知信号が所定の閾値を超え、且つスタート信号が供給される場合に制御パ
ルス信号を供給するステップとを、演算部ＣＰＵに実行させるプログラムを記憶する。
【０１４７】
なお、本実施の形態は、本明細書で示す他の実施の形態と適宜組み合わせることができる
。
【０１４８】
（実施の形態２）
本実施の形態では、本発明の一態様の防犯装置の構成について、図５を参照しながら説明
する。
【０１４９】
図５は本発明の一態様の防犯装置１００Ｃの構成を説明するブロック図である。
【０１５０】
なお、本実施の形態で説明する防犯装置１００Ｃは、定電流電源１４０Ｃが制御パルス信
号を供給され定電流パルスを供給する点および開閉回路を有さない点が異なる他は、実施
の形態１で説明する防犯装置１００と同じ構成を有する。
【０１５１】
本実施の形態で説明する防犯装置１００Ｃは、筐体１０１と、筐体１０１を把持する手を
用いて操作できるように配置される開閉器１３２と、開閉器１３２を含み、開閉器１３２
が動作するとスタート信号を供給するスタートスイッチ回路１３１と、を有する。
【０１５２】
また、防犯装置１００Ｃは、スタート信号が供給され、制御パルス信号およびシャッタ信
号を供給するマイコン１３７と、制御パルス信号が供給され、定電流パルスを供給する定
電流電源１４０Ｃと、定電流パルスが供給され、パルス状の光を前記筐体の外側に射出す
る発光素子１２０と、を有する。
【０１５３】
また、防犯装置１００Ｃは、シャッタ信号が供給され、パルス状の光を照射する方向を撮
影し画像情報を供給する撮像部１５０と、画像情報を通信網に送信する通信部１９０と、
を有する。
【０１５４】
上記本発明の一態様の防犯装置１００Ｃは、筐体１０１を把持する手を用いて操作できる
ように配置される開閉器１３２と、開閉器１３２の動作に伴いパルス状の光を射出する発
光素子１２０と、パルス状の光を照射する方向を撮影し、画像情報を供給する撮像部１５
０と、画像情報を通信網に送信する通信部１９０と、を含んで構成される。これにより、
使用者が防犯装置を用いてパルス状の光を暴漢等に照射して、犯罪の発生を防ぐことがで
きる。または、犯罪が発生したときの画像を含む情報を通信網に送信することができる。
その結果、新規な防犯装置を提供することができる。または、犯罪が発生したことの立証
に有用な情報を保全することができる新規な情報処理装置を提供することができる。
【０１５５】
また、本実施の形態で説明する防犯装置１００Ｃは、可変抵抗１３６を含み、パルス間隔
変調信号を供給するパルス間隔変調回路１３５を有する。
【０１５６】
＜防犯装置＞
以下に、定電流電源１４０Ｃの構成について説明する。
【０１５７】
《定電流電源》
定電流電源１４０Ｃは、第１の電圧を供給する電池と、第１の電圧が供給され第１の電圧
より高い第２の電圧を供給する第１のＤＣＤＣコンバータと、第２の電圧が供給され電荷
を供給するコンデンサと、制御パルス信号と電荷が供給され定電流パルスを供給すること
ができる第２のＤＣＤＣコンバータと、を有する（図５参照）。
【０１５８】
定電流電源１４０Ｃは、第２のＤＣＤＣコンバータが制御パルス信号を供給される構成が
異なる他は、実施の形態１で説明する定電流電源１４０と同じ構成を有する。
【０１５９】
第２のＤＣＤＣコンバータは、制御パルス信号とコンデンサに蓄えられた電荷が供給され
、例えば制御パルス信号がハイのとき、定電流パルスを供給する。
【０１６０】
この構成によれば、コンデンサが電荷を第２のＤＣＤＣコンバータに供給する間において
、第２のＤＣＤＣコンバータは定電流パルスを供給することができる。なお、コンデンサ
に蓄えられた電荷が所定の量を下回ると、第２のＤＣＤＣコンバータは定電流パルスを供
給できなくなる。
【０１６１】
定電流電源１４０Ｃは、少なくともマイコン１３７が供給する制御パルス信号の幅（例え
ば５０ミリ秒）より長く、定電流パルスを供給することができる。
【０１６２】
なお、本実施の形態は、本明細書で示す他の実施の形態と適宜組み合わせることができる
。
【０１６３】
（実施の形態３）
本実施の形態では、本発明の一態様の情報処理装置の構成について、図６および図７を参
照しながら説明する。
【０１６４】
図６は本発明の一態様の情報処理装置２００の構成を説明するブロック図である。
【０１６５】
図７は本発明の一態様の情報処理装置の外形および使用状態を説明する外観図である。図
７（Ａ）は情報処理装置２００の外形を、図７（Ｂ）は情報処理装置２００Ｂの外形を説
明する図であり、図７（Ｃ）は情報処理装置２００の使用状態を説明する外観図である。
【０１６６】
本実施の形態で説明する情報処理装置２００は、演算部２１０と入出力部２２０を有する
。演算部２１０は位置情報ＰＯＳＩおよび画像情報ＩＭＧを供給される構成を備える。ま
た、入出力部２２０は入力機構２２１および表示部ＤＩＳＰを含む出力機構２２２を備え
る。以上の構成が異なる他は、実施の形態１の変形例２で説明する防犯装置１００Ｂと同
じ構成を有する。
【０１６７】
本実施の形態で説明する情報処理装置２００は、画像情報ＩＭＧ、位置情報ＰＯＳＩおよ
び操作命令ＩＮＰＵＴが供給され、通信情報ＣＯＭおよび表示情報を含む出力情報ＯＵＴ
ＰＵＴを供給する演算部２１０と、通信情報ＣＯＭおよび表示情報を含む出力情報ＯＵＴ
ＰＵＴが供給され、画像情報ＩＭＧ、位置情報ＰＯＳＩおよび操作命令ＩＮＰＵＴを供給
する入出力部２２０と、を有する（図６参照）。
【０１６８】
また、情報処理装置２００は、演算部２１０および入出力部２２０を収納する筐体２０１
を有する（図７参照）。
【０１６９】
そして、情報処理装置２００の入出力部２２０は、筐体２０１を把持する手を用いて操作
できるように配置される開閉器１３２と、開閉器１３２を含み開閉器１３２が動作すると
スタート信号を供給するスタートスイッチ回路１３１と、を備える。
【０１７０】
特に、スタートスイッチ回路１３１は、複数の開閉器が動作するときスタート信号を供給
する構成が好ましい。複数の開閉器（開閉器１３２ａ、開閉器１３２ｂ、開閉器１３２ｃ
および開閉器１３２ｄ）は、筐体２０１の側面に設けられている（図７参照）。
【０１７１】
また、情報処理装置２００は、スタート信号が供給され、制御パルス信号およびシャッタ
信号を供給するマイコン１３７と、制御パルス信号と定電流が供給され、定電流パルスを
供給する開閉回路１１０と、定電流を供給する定電流電源１４０と、定電流パルスが供給
されパルス状の光を筐体２０１の外側に射出する発光素子１２０と、を備える。
【０１７２】
また、情報処理装置２００は、シャッタ信号が供給され、パルス状の光を照射する方向を
撮影し画像情報ＩＭＧを供給する撮像部１５０と、シャッタ信号が供給され、位置情報Ｐ
ＯＳＩを供給することができる位置情報取得回路１６０と、通信情報ＣＯＭを通信網に送
信する通信部１９０と、を備える。
【０１７３】
また、情報処理装置２００は、操作命令ＩＮＰＵＴを供給する入力機構２２１と、表示情
報を含む出力情報ＯＵＴＰＵＴが供給され、表示情報を表示する表示部ＤＩＳＰと、を備
える。
【０１７４】
そして、通信部１９０は、画像情報ＩＭＧを通信網に送信する。
【０１７５】
上記本発明の一態様の情報処理装置２００は、筐体２０１を把持する手を用いて操作でき
るように配置される開閉器１３２と、開閉器１３２の動作に伴いパルス状の光を射出する
発光素子１２０と、パルス状の光を照射する方向を撮影し、画像情報ＩＭＧを供給する撮
像部１５０と、画像情報ＩＭＧを通信網に送信する通信部１９０と、を含んで構成される
。これにより、使用者が防犯装置を用いてパルス状の光を暴漢等に照射して、犯罪の発生
を防ぐことができる。または、犯罪が発生したときの画像を含む情報を通信網に送信する
ことができる。または、写真を撮影できる。その結果、犯罪が発生したことの立証に有用
な情報を保全することができる新規な情報処理装置を提供することができる。
【０１７６】
情報処理装置２００は、暴漢等に向けて光を発して威嚇するだけでなく、暴漢を撮像する
ことができる（図７（Ｃ）参照）。これにより、犯罪の発生を未然に防ぐことができる。
また、犯罪が発生した場合でも、撮影された画像により、犯人の特定を容易にする。
【０１７７】
また、本実施の形態で説明する情報処理装置２００は、可変抵抗１３６を含み、パルス間
隔変調信号を供給するパルス間隔変調回路１３５を有する。
【０１７８】
＜情報処理装置＞
以下に、情報処理装置２００を構成する個々の要素について説明する。
【０１７９】
なお、ここでは実施の形態１の変形例２で説明する防犯装置１００Ｂの構成と異なる部分
について詳細に説明し、同様の構成を用いることができる部分は、上記の説明を援用する
。
【０１８０】
《演算部と入出力部》
演算部２１０は、画像情報ＩＭＧ、位置情報ＰＯＳＩおよび操作命令ＩＮＰＵＴが供給さ
れ、通信情報ＣＯＭおよび表示情報を含む出力情報ＯＵＴＰＵＴを供給する。
【０１８１】
入出力部２２０は、通信情報ＣＯＭおよび表示情報を含む出力情報ＯＵＴＰＵＴが供給さ
れ、画像情報ＩＭＧ、位置情報ＰＯＳＩおよび操作命令ＩＮＰＵＴを供給する。
【０１８２】
演算部２１０は、演算回路、演算回路に実行させるプログラムを記憶する記憶部、伝送路
および入出力インターフェース等を備える。
【０１８３】
入出力部２２０は、スタートスイッチ回路１３１、開閉器１３２、マイコン１３７、開閉
回路１１０、発光素子１２０、定電流電源１４０、撮像部１５０、位置情報取得回路１６
０、通信部１９０、入力機構２２１および出力機構２２２等を備える。
【０１８４】
《入力機構》
情報処理装置２００に情報を供給する機構を、入力機構２２１に適用できる。
【０１８５】
例えば、情報処理装置２００の使用者が情報処理装置２００に操作命令を供給する機構と
して、マイクロフォンＭＩＣ、キーボードＫＢおよびタッチパネルＴＰ等を挙げることが
できる。
【０１８６】
具体的には、使用者はマイクロフォンＭＩＣを用いて音声情報を供給し、演算部２１０は
音声情報をアナログ信号またはデジタル信号に変換して供給できる。通信部１９０は変換
された音声情報を無線または有線で供給できる。通信網は、例えば遠隔地に音声情報を供
給できる。
【０１８７】
なお、入出力機構の使用を許可されていない使用者が入出力機構を用いた場合に、スター
トスイッチ回路がスタート信号を供給する構成にしてもよい。具体的には、通信網を介し
て盗難された情報処理装置２００の通信部１９０に命令を供給し、入出力機構から情報が
供給されたときにスタートスイッチ回路１３１がスタート信号を供給する構成にしてもよ
い。
【０１８８】
撮像部１５０が入出力機構を使用する人物の容姿を撮影し、入出力機構の使用を許可され
ていない人物であると認証された場合に、スタートスイッチ回路１３１がスタート信号を
供給する構成にしてもよい。
【０１８９】
《出力機構》
情報処理装置２００の使用者が知覚できる方法で情報を供給する機構を、出力機構２２２
に有する。
【０１９０】
例えば、音声情報または／および画像情報を含む出力情報ＯＵＴＰＵＴが出力機構２２２
に供給される場合、情報処理装置２００の使用者が音声情報を聴覚で取得できるように、
スピーカＳＰを出力機構２２２に適用できる。また、表示情報を視覚で取得できるように
、表示部ＤＩＳＰ等を出力機構２２２に適用できる。
【０１９１】
例えば、マトリクス状に複数の表示素子が配置された表示パネルを表示部ＤＩＳＰに適用
することができる。具体的には、液晶表示パネル、有機ＥＬパネルまたは電子ペーパー等
を表示部ＤＩＳＰに適用することができる。
【０１９２】
一の情報処理装置２００は、他の情報処理装置が供給した音声情報を通信網から取得でき
る。
【０１９３】
通信部１９０は通信網が供給する音声情報を取得し、音声情報を含む情報ＣＯＭを供給す
る。演算部２１０は音声情報を含む出力情報ＯＵＴＰＵＴを供給する。スピーカＳＰは音
声情報を再生する。
【０１９４】
これにより、情報処理装置２００の使用者は、遠隔地から供給された音声情報を再生して
、取得できる。これにより、情報処理装置２００を携帯電話として用いることができる。
【０１９５】
《筐体》
筐体２０１は平板型であり、側面に開閉器１３２ａ、開閉器１３２ｂ、開閉器１３２ｃお
よび開閉器１３２ｄが配置されている（図７（Ａ））。
【０１９６】
撮像部１５０および撮像部１５０を囲む発光素子１２０が、筐体２０１の広い面に設けら
れている。筐体２０１を用いる情報処理装置２００は、例えばスマートフォンとして用い
ることができる。
【０１９７】
筐体２０１Ｂはヒンジ部２０１Ｈを有し二つ折りにすることができる。また、側面に開閉
器１３２ａ、開閉器１３２ｂ、開閉器１３２ｃおよび開閉器１３２ｄが配置されている（
図７（Ｂ））。
【０１９８】
撮像部１５０および撮像部１５０に隣接する発光素子１２０が、筐体２０１の広い面に設
けられている。筐体２０１Ｂを用いる情報処理装置２００は、例えば携帯電話として用い
ることができる。
【０１９９】
なお、本実施の形態は、本明細書で示す他の実施の形態と適宜組み合わせることができる
。
【０２００】
（実施の形態４）
本実施の形態では、本発明の一態様の発光装置に用いることができる発光パネルの構成に
ついて、図８乃至図１１を用いて説明する。
【０２０１】
本発明の一態様の発光装置は、例えば、カメラのフラッシュとして用いることができる。
ここで、カメラのフラッシュを小さくすると、その発光部は線状又は点状に近づく。光は
光源から直進するため、一の物体が投影する影は、光源が小さいほど明瞭になる。これに
より、例えば、フラッシュを用いて人の顔を暗い場所で撮影すると、鼻の影が頬に投影さ
れてしまう場合がある。
【０２０２】
また、フラッシュが必要以上に強い光を発することで、本来明るさの強弱がある部分が写
真で白一色になってしまう場合がある（いわゆる白飛び）。一方、フラッシュの発光が弱
すぎると、暗い部分が写真で黒一色になってしまう場合がある（いわゆる黒潰れ）。した
がって、フラッシュは、環境や被写体の状況によって、光量の調整が可能であることが好
ましい。
【０２０３】
そこで、本発明の一態様では、発光パネルに、面光源である発光素子を用いる。例えば、
有機ＥＬ素子を用いると、膜厚が薄く大面積の素子を容易に形成することができる。同じ
光量を発する場合、面光源は、点光源や線光源に比べて、単位面積当たりの光量を少なく
できる、又は発光時間を短くできる。これにより、単位面積当たりの発熱量を低減できる
。また、発光面積が広いため放熱しやすい。したがって、発光パネルの局所的な発熱によ
る劣化を抑制できる。無機材料を用いた発光ダイオード等を用いる場合に比べて、発光パ
ネルの劣化が少なく、信頼性の高い発光装置を提供できる。
【０２０４】
また、発光パネルに、有機ＥＬ素子を用いると、従来のキセノンランプなどを用いる場合
に比べて発光パネルを薄く、軽量にすることができる。また、発光に伴う発熱が発光パネ
ルの広い面積に分散されるため、効率よく放熱される。これにより、発光パネルへの蓄熱
が抑制され、発光パネルの劣化が抑制される。
【０２０５】
また、発光パネルが面光源であると、本発明の一態様の発光装置をカメラのフラッシュと
して用いても被写体に影が生じにくい。
【０２０６】
発光性の有機化合物を選択して用いることにより、白色を呈する光を発するように、発光
パネルを構成できる。例えば、互いに補色の関係にある色を発する複数の発光性の有機化
合物を用いることができる。または、赤色、緑色及び青色を呈する発光性の有機化合物を
用いることができる。また、さまざまな発光スペクトルを多様な有機化合物から選択して
用いることができる。これにより、ホワイトバランスに優れた発光装置を得ることができ
る。
【０２０７】
発光性の有機化合物を用いると、無機材料を用いた発光ダイオードに比べて幅が広い発光
スペクトルを得られる。幅が広い発光スペクトルを有する光は、自然光に近く、写真の撮
影に好適である。
【０２０８】
以下では、発光素子として有機ＥＬ素子を用いた発光パネルの構成例を説明する。
【０２０９】
《発光パネルの構成例１》
図８（Ａ）は、本発明の一態様の発光パネルを示す平面図であり、図８（Ｂ）は、図８（
Ａ）を一点鎖線Ａ−Ｂで切断した断面図である。
【０２１０】
図８（Ａ）（Ｂ）に示す発光パネルは、支持基板４０１、封止基板４０５及び封止材４０
７に囲まれた空間４１５内に、発光素子４０３を備える。発光素子４０３は、ボトムエミ
ッション構造の有機ＥＬ素子であり、具体的には、支持基板４０１上に可視光を透過する
第１の電極４２１を有し、第１の電極４２１上にＥＬ層４２３を有し、ＥＬ層４２３上に
可視光を反射する第２の電極４２５を有する。
【０２１１】
本発明の一態様に適用する発光素子はボトムエミッション構造に限られず、例えばトップ
エミッション構造であってもよい。
【０２１２】
第１の端子４０９ａは、補助配線４１７及び第１の電極４２１と電気的に接続する。第１
の電極４２１上には、補助配線４１７と重なる領域に、絶縁層４１９が設けられている。
第１の端子４０９ａと第２の電極４２５は、絶縁層４１９によって電気的に絶縁されてい
る。第２の端子４０９ｂは、第２の電極４２５と電気的に接続する。なお、本実施の形態
では、補助配線４１７上に第１の電極４２１が形成されている構成を示すが、第１の電極
４２１上に補助配線４１７を形成してもよい。
【０２１３】
支持基板４０１と大気との界面に光取り出し構造４１１ａを有することが好ましい。大気
と支持基板４０１の界面に光取り出し構造４１１ａを設けることで、全反射の影響で大気
に取り出せない光を低減し、発光パネルの光の取り出し効率を向上させることができる。
【０２１４】
また、発光素子４０３と支持基板４０１との間に光取り出し構造４１１ｂを有することが
好ましい。光取り出し構造４１１ｂが凹凸を有する場合、光取り出し構造４１１ｂと第１
の電極４２１の間に、平坦化層４１３を設けることが好ましい。これによって、第１の電
極４２１を平坦な膜とすることができ、ＥＬ層４２３における第１の電極４２１の凹凸に
起因するリーク電流の発生を抑制することができる。また、平坦化層４１３と支持基板４
０１との界面に、光取り出し構造４１１ｂを有するため、全反射の影響で大気に取り出せ
ない光を低減し、発光パネルの光の取り出し効率を向上させることができる。
【０２１５】
光取り出し構造４１１ａ及び光取り出し構造４１１ｂの材料としては、例えば、樹脂を用
いることができる。また、光取り出し構造４１１ａ及び光取り出し構造４１１ｂとして、
半球レンズ、マイクロレンズアレイや、凹凸構造が施されたフィルム、光拡散フィルム等
を用いることもできる。例えば、支持基板４０１上に上記レンズやフィルムを、支持基板
４０１又は該レンズもしくはフィルムと同程度の屈折率を有する接着剤等を用いて接着す
ることで、光取り出し構造４１１ａ及び光取り出し構造４１１ｂを形成することができる
。
【０２１６】
平坦化層４１３は、光取り出し構造４１１ｂと接する面よりも、第１の電極４２１と接す
る面のほうが平坦である。平坦化層４１３の材料としては、透光性を有し、高屈折率であ
る材料（例えば、屈折液等の液状物質、ガラス、樹脂等）を用いることができる。
【０２１７】
なお、本発明の一態様の発光パネルは、光取り出し構造を設けない構成とすることもでき
る。その場合、可視光を反射する第２の電極を鏡として用いることができ、好ましい。
【０２１８】
《発光パネルの構成例２》
図９（Ａ）は、本発明の一態様の発光パネルを示す平面図であり、図１０（Ａ）（Ｂ）は
、それぞれ図９（Ａ）を一点鎖線Ｘ１−Ｙ１で切断した断面図である。
【０２１９】
図１０（Ａ）に示す発光パネルでは、支持基板１２２０上に絶縁膜１２２４を介して発光
素子１２５０が設けられている。絶縁膜１２２４上には補助配線１２０６が設けられてお
り、第１の電極１２０１と電気的に接続する。補助配線１２０６の一部は露出しており端
子として機能する。第１の電極１２０１の端部及び導電層１２１０の端部は隔壁１２０５
で覆われている。また、第１の電極１２０１を介して補助配線１２０６を覆う隔壁１２０
５が設けられている。発光素子１２５０は、支持基板１２２０、封止基板１２２８、及び
封止材１２２７により封止されている。支持基板１２２０の表面には光取り出し構造１２
０９が貼り合わされている。支持基板１２２０及び封止基板１２２８に可撓性を有する基
板を用いることで、可撓性を有する発光パネルを実現できる。
【０２２０】
発光素子１２５０はボトムエミッション構造の有機ＥＬ素子であり、具体的には、支持基
板１２２０上に可視光を透過する第１の電極１２０１を有し、第１の電極１２０１上にＥ
Ｌ層１２０２を有し、ＥＬ層１２０２上に可視光を反射する第２の電極１２０３を有する
。
【０２２１】
図１０（Ｂ）に示す発光パネルでは、図１０（Ａ）に示す発光パネルが有する支持基板１
２２０及び光取り出し構造１２０９の代わりに、光取り出し構造を有する支持基板１２２
９が設けられている。支持基板１２２９は支持体としての機能及び発光パネルの光の取り
出し効率を向上させる機能の双方を有する。
【０２２２】
ここで、可撓性を有する発光パネルを作製する際、可撓性を有する基板上に発光素子を形
成する方法としては、例えば、可撓性を有する基板上に、発光素子を直接形成する第１の
方法と、可撓性を有する基板とは異なる耐熱性の高い基板（以下、作製基板と記す）上に
発光素子を形成した後、作製基板と発光素子とを剥離して、可撓性を有する基板に発光素
子を転置する第２の方法と、がある。
【０２２３】
例えば、可撓性を有する程度に薄い厚さのガラス基板のように、発光素子の作製工程でか
ける温度に対して耐熱性を有する基板を用いる場合には、第１の方法を用いると、工程が
簡略化されるため好ましい。
【０２２４】
また、第２の方法を適用することで、作製基板上で形成した透水性の低い絶縁膜等を、可
撓性を有する基板に転置することができる。したがって、透水性が高く、耐熱性が低い有
機樹脂等を、可撓性を有する基板の材料として用いても、可撓性を有し、信頼性が高い発
光パネルを作製できる。
【０２２５】
《発光パネルの構成例３》
図９（Ｂ）は、本発明の一態様の発光パネルを示す平面図であり、図１１（Ａ）（Ｂ）は
、それぞれ図９（Ｂ）を一点鎖線Ｘ２−Ｙ２で切断した断面図の一例であり、図１１（Ｃ
）は、図９（Ｂ）を一点鎖線Ｘ３−Ｙ３で切断した断面図である。
【０２２６】
図１１（Ａ）乃至（Ｃ）に示す発光パネルは、一部に開口部を有する点で、発光パネルの
構成例２と異なる。ここでは相違点のみを詳細に説明し、共通点については発光パネルの
構成例２の説明を参酌するものとする。
【０２２７】
図１１（Ａ）（Ｂ）に示すように、発光パネルは、開口部において、電極やＥＬ層が露出
しないように、封止材１２２６を有することが好ましい。具体的には、発光パネルの一部
を開口した後、露出した電極及びＥＬ層を少なくとも覆うように封止材１２２６を形成す
ればよい。封止材１２２６には、封止材１２２７と同様の材料を用いることができ、同一
の材料であっても異なる材料であってもよい。
【０２２８】
図１１（Ａ）では、隔壁１２０５が形成されていない位置を開口した場合の例を示し、図
１１（Ｂ）では、隔壁１２０５が形成されている位置を開口した場合の例を示した。
【０２２９】
このような発光パネルを作製し、開口部と重なるようにカメラのレンズを配置することで
、カメラのレンズの周囲に発光部を配置できる。そして、該発光部をカメラのフラッシュ
として用いることができる。
【０２３０】
なお、基板の表面に光取出し構造を設けてもよい。
【０２３１】
《発光パネルの材料》
本発明の一態様の発光パネルに用いることができる材料の一例を記す。
【０２３２】
［基板］
発光素子からの光を取り出す側の基板には該光を透過する材料を用いる。例えば、ガラス
、石英、セラミック、サファイア、有機樹脂などの材料を用いることができる。
【０２３３】
膜厚の薄い基板を用いることで、発光パネルの軽量化、薄型化を図ることができる。さら
に、可撓性を有する程度の厚さの基板を用いることで、可撓性を有する発光パネルを実現
できる。また、可撓性を有する発光パネルを使用しないときに折りたたんで収納すること
もできる。これにより、写真撮影スタジオにおいて用いることができるレフ板（ｂｏａｒ
ｄ  ｒｅｆｌｅｃｔｏｒ）に換えて、広い面積でフラッシュ発光する照明装置として用い
ることができる。または、折り畳むことができる照明装置を提供することができる。
【０２３４】
ガラスとしては、例えば、無アルカリガラス、バリウムホウケイ酸ガラス、アルミノホウ
ケイ酸ガラス等を用いることができる。
【０２３５】
可撓性及び可視光に対する透過性を有する材料としては、例えば、可撓性を有する程度の
厚さのガラスや、ポリエチレンテレフタレート（ＰＥＴ）、ポリエチレンナフタレート（
ＰＥＮ）等のポリエステル樹脂、ポリアクリロニトリル樹脂、ポリイミド樹脂、ポリメチ
ルメタクリレート樹脂、ポリカーボネート（ＰＣ）樹脂、ポリエーテルスルホン（ＰＥＳ
）樹脂、ポリアミド樹脂、シクロオレフィン樹脂、ポリスチレン樹脂、ポリアミドイミド
樹脂、ポリ塩化ビニル樹脂等が挙げられる。特に、熱膨張係数の低い材料を用いることが
好ましく、例えば、ポリアミドイミド樹脂、ポリイミド樹脂、ＰＥＴ等を好適に用いるこ
とができる。また、ガラス繊維に有機樹脂を含浸した基板や、無機フィラーを有機樹脂に
混ぜて熱膨張係数を下げた基板を使用することもできる。このような材料を用いた基板は
、重量が軽いため、該基板を用いた発光パネルも軽量にすることができる。
【０２３６】
また、発光を取り出さない側の基板は、透光性を有していなくてもよいため、上記に挙げ
た基板の他に、金属材料や合金材料を用いた金属基板等を用いることもできる。金属材料
や合金材料は熱伝導性が高く、封止基板全体に熱を容易に伝導できるため、発光パネルの
局所的な温度上昇を抑制することができ、好ましい。可撓性や曲げ性を得るためには、金
属基板の厚さは、１０μｍ以上２００μｍ以下が好ましく、２０μｍ以上５０μｍ以下で
あることがより好ましい。
【０２３７】
金属基板を構成する材料としては、特に限定はないが、例えば、アルミニウム、銅、ニッ
ケル、又はアルミニウム合金もしくはステンレス等の金属の合金などを好適に用いること
ができる。
【０２３８】
また、導電性の基板の表面を酸化する、又は表面に絶縁膜を形成するなどにより、絶縁処
理が施された基板を用いてもよい。例えば、スピンコート法やディップ法などの塗布法、
電着法、蒸着法、又はスパッタリング法などを用いて絶縁膜を形成してもよいし、酸素雰
囲気で放置する又は加熱するほか、陽極酸化法などによって、基板の表面に酸化膜を形成
してもよい。
【０２３９】
可撓性の基板としては、上記材料を用いた層が、発光パネルの表面を傷などから保護する
ハードコート層（例えば、窒化シリコン層など）や、押圧を分散可能な材質の層（例えば
、アラミド樹脂層など）等と積層されて構成されていてもよい。また、水分等による発光
素子の寿命の低下等を抑制するために、窒化シリコン膜、酸化窒化シリコン膜等の窒素と
珪素を含む膜や、窒化アルミニウム膜等の窒素とアルミニウムを含む膜等の透水性の低い
絶縁膜を有していてもよい。
【０２４０】
基板は、複数の層を積層して用いることもできる。特に、ガラス層を有する構成とすると
、水や酸素に対するバリア性を向上させ、信頼性の高い発光パネルとすることができる。
【０２４１】
例えば、発光素子に近い側からガラス層、接着層、及び有機樹脂層を積層した基板を用い
ることができる。当該ガラス層の厚さとしては２０μｍ以上２００μｍ以下、好ましくは
２５μｍ以上１００μｍ以下とする。このような厚さのガラス層は、水や酸素に対する高
いバリア性と可撓性を同時に実現できる。また、有機樹脂層の厚さとしては、１０μｍ以
上２００μｍ以下、好ましくは２０μｍ以上５０μｍ以下とする。このような有機樹脂層
をガラス層よりも外側に設けることにより、ガラス層の割れやクラックを抑制し、機械的
強度を向上させることができる。このようなガラス材料と有機樹脂の複合材料を基板に適
用することにより、極めて信頼性が高いフレキシブルな発光パネルとすることができる。
【０２４２】
［絶縁膜］
支持基板と発光素子の間に、絶縁膜を形成してもよい。絶縁膜には、酸化シリコン膜、窒
化シリコン膜、酸化窒化シリコン膜、窒化酸化シリコン膜などの無機絶縁膜を用いること
ができる。特に、発光素子への水分等の侵入を抑制するため、酸化シリコン膜、窒化シリ
コン膜、酸化アルミニウム膜等の透水性の低い絶縁膜を用いることが好ましい。同様の目
的や材料で、発光素子を覆う絶縁膜を設けてもよい。
【０２４３】
［隔壁］
隔壁には、有機樹脂又は無機絶縁材料を用いることができる。有機樹脂としては、例えば
、ポリイミド樹脂、ポリアミド樹脂、アクリル樹脂、シロキサン樹脂、エポキシ樹脂、又
はフェノール樹脂等を用いることができる。無機絶縁材料としては、酸化シリコン、酸化
窒化シリコン等を用いることができる。隔壁の作製が容易となるため、特に感光性の樹脂
を用いることが好ましい。
【０２４４】
隔壁の形成方法は、特に限定されず、例えば、フォトリソグラフィ法、スパッタ法、蒸着
法、液滴吐出法（インクジェット法等）、印刷法（スクリーン印刷、オフセット印刷等）
等を用いればよい。
【０２４５】
［補助配線］
補助配線は必ずしも設ける必要は無いが、電極の抵抗に起因する電圧降下を抑制できるた
め、設けることが好ましい。
【０２４６】
補助配線の材料は、銅（Ｃｕ）、チタン（Ｔｉ）、タンタル（Ｔａ）、タングステン（Ｗ
）、モリブデン（Ｍｏ）、クロム（Ｃｒ）、ネオジム（Ｎｄ）、スカンジウム（Ｓｃ）、
ニッケル（Ｎｉ）、から選ばれた材料又はこれらを主成分とする合金材料を用いて、単層
で又は積層して形成する。また、補助配線の材料としてアルミニウムを用いることもでき
るが、その場合には上記した腐食の問題が生じないように積層構造とし、ＩＴＯなどと接
しない層にアルミニウムを用いれば良い。補助配線の膜厚は、０．１μｍ以上３μｍ以下
とすることができ、好ましくは、０．１μｍ以上０．５μｍ以下である。
【０２４７】
［封止材］
発光パネルの封止方法は限定されず、例えば、固体封止であっても中空封止であってもよ
い。例えば、ガラスフリットなどのガラス材料や、二液混合型の樹脂などの常温で硬化す
る硬化樹脂、光硬化性の樹脂、熱硬化性の樹脂などの樹脂材料を用いることができる。発
光パネルは、窒素やアルゴンなどの不活性な気体で充填されていてもよく、ＰＶＣ（ポリ
ビニルクロライド）樹脂、アクリル樹脂、ポリイミド樹脂、エポキシ樹脂、シリコーン樹
脂、ＰＶＢ（ポリビニルブチラル）樹脂、ＥＶＡ（エチレンビニルアセテート）樹脂等の
樹脂で充填されていてもよい。また、樹脂内に乾燥剤が含まれていてもよい。
【０２４８】
［光取り出し構造］
光取り出し構造としては、半球レンズ、マイクロレンズアレイ、凹凸構造が施されたフィ
ルム、光拡散フィルム等を用いることができる。例えば、基板上に上記レンズやフィルム
を、該基板又は該レンズもしくはフィルムと同程度の屈折率を有する接着剤等を用いて接
着することで、光取り出し構造を形成することができる。
【０２４９】
本実施の形態の発光パネルは面光源であるため、発光装置に適用することで、フラッシュ
として用いても被写体に影が生じにくい発光装置を提供できる。また、無機材料を用いた
発光ダイオード等を用いる場合に比べて、多くの光量を発しても発光パネルの劣化が少な
く、信頼性の高い発光装置を提供できる。また、キセノンランプ等を用いる場合に比べて
、発光装置の小型化、薄型化が実現できる。
【０２５０】
なお、本実施の形態は、本明細書で示す他の実施の形態と適宜組み合わせることができる
。
【０２５１】
（実施の形態５）
本実施の形態では、本発明の一態様の発光装置に用いることができる発光素子について図
１２を用いて説明する。
【０２５２】
《発光素子の構成例》
図１２（Ａ）に示す発光素子は、第１の電極２２０１及び第２の電極２２０５の間にＥＬ
層２２０３を有する。本実施の形態では、第１の電極２２０１が陽極として機能し、第２
の電極２２０５が陰極として機能する。
【０２５３】
第１の電極２２０１と第２の電極２２０５の間に、発光素子の閾値電圧より高い電圧を印
加すると、ＥＬ層２２０３に第１の電極２２０１側から正孔が注入され、第２の電極２２
０５側から電子が注入される。注入された電子と正孔はＥＬ層２２０３において再結合し
、ＥＬ層２２０３に含まれる発光物質が発光する。
【０２５４】
ＥＬ層２２０３は、発光物質を含む発光層２３０３を少なくとも有する。
【０２５５】
また、ＥＬ層２２０３は、発光層以外の層として、正孔注入性の高い物質、正孔輸送性の
高い物質、電子輸送性の高い物質、電子注入性の高い物質、又はバイポーラ性の物質（電
子輸送性及び正孔輸送性が高い物質）等を含む層をさらに有していてもよい。ＥＬ層２２
０３には低分子系化合物及び高分子系化合物のいずれを用いることもでき、無機化合物を
含んでいてもよい。
【０２５６】
図１２（Ｂ）に示す発光素子は、第１の電極２２０１及び第２の電極２２０５の間にＥＬ
層２２０３を有し、該ＥＬ層２２０３では、正孔注入層２３０１、正孔輸送層２３０２、
発光層２３０３、電子輸送層２３０４、及び電子注入層２３０５が、第１の電極２２０１
側からこの順に積層されている。
【０２５７】
図１２（Ｃ）（Ｄ）に示す発光素子のように、第１の電極２２０１及び第２の電極２２０
５の間に複数のＥＬ層が積層されていてもよい。この場合、積層されたＥＬ層の間には、
中間層２２０７を設けることが好ましい。中間層２２０７は、電荷発生領域を少なくとも
有する。
【０２５８】
例えば、図１２（Ｃ）に示す発光素子は、第１のＥＬ層２２０３ａと第２のＥＬ層２２０
３ｂとの間に、中間層２２０７を有する。また、図１２（Ｄ）に示す発光素子は、ＥＬ層
をｎ層（ｎは２以上の自然数）有し、各ＥＬ層の間には、中間層２２０７を有する。
【０２５９】
ＥＬ層２２０３（ｍ）とＥＬ層２２０３（ｍ＋１）の間に設けられた中間層２２０７にお
ける電子と正孔の挙動について説明する。第１の電極２２０１と第２の電極２２０５の間
に、発光素子の閾値電圧より高い電圧を印加すると、中間層２２０７において正孔と電子
が発生し、正孔は第２の電極２２０５側に設けられたＥＬ層２２０３（ｍ＋１）へ移動し
、電子は第１の電極２２０１側に設けられたＥＬ層２２０３（ｍ）へ移動する。ＥＬ層２
２０３（ｍ＋１）に注入された正孔は、第２の電極２２０５側から注入された電子と再結
合し、当該ＥＬ層２２０３（ｍ＋１）に含まれる発光物質が発光する。また、ＥＬ層２２
０３（ｍ）に注入された電子は、第１の電極２２０１側から注入された正孔と再結合し、
当該ＥＬ層２２０３（ｍ）に含まれる発光物質が発光する。よって、中間層２２０７にお
いて発生した正孔と電子は、それぞれ異なるＥＬ層において発光に至る。
【０２６０】
なお、ＥＬ層同士を接して設けることで、両者の間に中間層と同じ構成が形成される場合
は、中間層を介さずにＥＬ層同士を接して設けることができる。例えば、ＥＬ層の一方の
面に電荷発生領域が形成されている場合、その面に接してＥＬ層を設けることができる。
【０２６１】
また、それぞれのＥＬ層の発光色を異なるものにすることで、発光素子全体として、所望
の色の発光を得ることができる。例えば、二つのＥＬ層を有する発光素子において、第１
のＥＬ層の発光色と第２のＥＬ層の発光色を補色の関係になるようにすることで、発光素
子全体として白色発光する発光素子を得ることも可能である。また、３つ以上のＥＬ層を
有する発光素子の場合でも同様である。
【０２６２】
《発光素子の材料》
以下に、それぞれの層に用いることができる材料を例示する。なお、各層は、単層に限ら
れず、二層以上積層してもよい。
【０２６３】
〈陽極〉
陽極として機能する電極（第１の電極２２０１）は、導電性を有する金属、合金、導電性
化合物等を一種又は複数種用いて形成することができる。特に、仕事関数の大きい（４．
０ｅＶ以上）材料を用いることが好ましい。例えば、インジウムスズ酸化物（ＩＴＯ：Ｉ
ｎｄｉｕｍ  Ｔｉｎ  Ｏｘｉｄｅ）、珪素もしくは酸化珪素を含有したインジウムスズ酸
化物、インジウム亜鉛酸化物、酸化タングステン及び酸化亜鉛を含有した酸化インジウム
、グラフェン、金、白金、ニッケル、タングステン、クロム、モリブデン、鉄、コバルト
、銅、パラジウム、又は金属材料の窒化物（例えば、窒化チタン）等が挙げられる。
【０２６４】
なお、陽極が電荷発生領域と接する場合は、仕事関数の大きさを考慮せずに、様々な導電
性材料を用いることができ、例えば、アルミニウム、銀、アルミニウムを含む合金等も用
いることができる。
【０２６５】
〈陰極〉
陰極として機能する電極（第２の電極２２０５）は、導電性を有する金属、合金、導電性
化合物などを１種又は複数種用いて形成することができる。特に、仕事関数が小さい（３
．８ｅＶ以下）材料を用いることが好ましい。例えば、元素周期表の第１族又は第２族に
属する元素（例えば、リチウム、セシウム等のアルカリ金属、カルシウム、ストロンチウ
ム等のアルカリ土類金属、マグネシウム等）、これら元素を含む合金（例えば、Ｍｇ−Ａ
ｇ、Ａｌ−Ｌｉ）、ユーロピウム、イッテルビウム等の希土類金属、これら希土類金属を
含む合金、アルミニウム、銀等を用いることができる。
【０２６６】
なお、陰極が電荷発生領域と接する場合は、仕事関数の大きさを考慮せずに、様々な導電
性材料を用いることができる。例えば、ＩＴＯ、珪素又は酸化珪素を含有したインジウム
スズ酸化物等も用いることができる。
【０２６７】
電極は、それぞれ、真空蒸着法やスパッタリング法を用いて形成すれば良い。また、銀ペ
ースト等を用いる場合には、塗布法やインクジェット法を用いれば良い。
【０２６８】
〈正孔注入層２３０１〉
正孔注入層２３０１は、正孔注入性の高い物質を含む層である。
【０２６９】
正孔注入性の高い物質としては、例えば、モリブデン酸化物、バナジウム酸化物、ルテニ
ウム酸化物、タングステン酸化物、マンガン酸化物等の金属酸化物や、また、フタロシア
ニン（略称：Ｈ２Ｐｃ）、銅（ＩＩ）フタロシアニン（略称：ＣｕＰｃ）等のフタロシア
ニン系の化合物を用いることができる。
【０２７０】
また、ポリ（Ｎ−ビニルカルバゾール）（略称：ＰＶＫ）、ポリ（４−ビニルトリフェニ
ルアミン）（略称：ＰＶＴＰＡ）などの高分子化合物や、ポリ（３，４−エチレンジオキ
シチオフェン）／ポリ（スチレンスルホン酸）（ＰＥＤＯＴ／ＰＳＳ）等の酸を添加した
高分子化合物を用いることができる。
【０２７１】
また、正孔注入層２３０１を、電荷発生領域としても良い。陽極と接する正孔注入層２３
０１が電荷発生領域であると、仕事関数を考慮せずに様々な導電性材料を該陽極に用いる
ことができる。電荷発生領域を構成する材料については後述する。
【０２７２】
〈正孔輸送層２３０２〉
正孔輸送層２３０２は、正孔輸送性の高い物質を含む層である。
【０２７３】
正孔輸送性の高い物質としては、電子よりも正孔の輸送性の高い物質であれば良く、特に
、１０−６ｃｍ２／Ｖｓ以上の正孔移動度を有する物質であることが好ましい。例えば、
４，４’−ビス［Ｎ−（１−ナフチル）−Ｎ−フェニルアミノ］ビフェニル（略称：ＮＰ
Ｂ又はα−ＮＰＤ）、４−フェニル−４’−（９−フェニルフルオレン−９−イル）トリ
フェニルアミン（略称：ＢＰＡＦＬＰ）等の芳香族アミン化合物、４，４’−ジ（Ｎ−カ
ルバゾリル）ビフェニル（略称：ＣＢＰ）、９−［４−（１０−フェニル−９−アントリ
ル）フェニル］−９Ｈ−カルバゾール（略称：ＣｚＰＡ）、９−フェニル−３−［４−（
１０−フェニル−９−アントリル）フェニル］−９Ｈ−カルバゾール（略称：ＰＣｚＰＡ
）等のカルバゾール誘導体、２−ｔｅｒｔ−ブチル−９，１０−ジ（２−ナフチル）アン
トラセン（略称：ｔ−ＢｕＤＮＡ）、９，１０−ジ（２−ナフチル）アントラセン（略称
：ＤＮＡ）、９，１０−ジフェニルアントラセン（略称：ＤＰＡｎｔｈ）等の芳香族炭化
水素化合物、ＰＶＫ、ＰＶＴＰＡ等の高分子化合物など、種々の化合物を用いることがで
きる。
【０２７４】
〈発光層２３０３〉
発光層２３０３は、蛍光を発光する蛍光性化合物や燐光を発光する燐光性化合物を用いる
ことができる。
【０２７５】
発光層２３０３に用いることができる蛍光性化合物としては、例えば、Ｎ，Ｎ’−ビス［
４−（９Ｈ−カルバゾール−９−イル）フェニル］−Ｎ，Ｎ’−ジフェニルスチルベン−
４，４’−ジアミン（略称：ＹＧＡ２Ｓ）、Ｎ−（９，１０−ジフェニル−２−アントリ
ル）−Ｎ，９−ジフェニル−９Ｈ−カルバゾール−３−アミン（略称：２ＰＣＡＰＡ）、
ルブレン等が挙げられる。
【０２７６】
また、発光層２３０３に用いることができる燐光性化合物としては、例えば、ビス［２−
（４’，６’−ジフルオロフェニル）ピリジナト−Ｎ，Ｃ２’］イリジウム（ＩＩＩ）ピ
コリナート（略称：ＦＩｒｐｉｃ）、トリス（２−フェニルピリジナト−Ｎ，Ｃ２’）イ
リジウム（ＩＩＩ）（略称：Ｉｒ（ｐｐｙ）３）（アセチルアセトナト）ビス（３，５−
ジメチル−２−フェニルピラジナト）イリジウム（ＩＩＩ）（略称：Ｉｒ（ｍｐｐｒ−Ｍ
ｅ）２（ａｃａｃ））等の有機金属錯体が挙げられる。
【０２７７】
なお、発光層２３０３は、上述した発光性の有機化合物（発光物質、ゲスト材料）を他の
物質（ホスト材料）に分散させた構成としても良い。ホスト材料としては、各種のものを
用いることができ、ゲスト材料よりも最低空軌道準位（ＬＵＭＯ準位）が高く、最高被占
有軌道準位（ＨＯＭＯ準位）が低い物質を用いることが好ましい。
【０２７８】
ゲスト材料をホスト材料に分散させた構成とすることにより、発光層２３０３の結晶化を
抑制することができる。また、ゲスト材料の濃度が高いことによる濃度消光を抑制するこ
とができる。
【０２７９】
ホスト材料としては、上述の正孔輸送性の高い物質（例えば、芳香族アミン化合物やカル
バゾール誘導体）や、後述の電子輸送性の高い物質（例えば、キノリン骨格又はベンゾキ
ノリン骨格を有する金属錯体や、オキサゾール系配位子又はチアゾール系配位子を有する
金属錯体）等を用いることができる。具体的には、トリス（８−キノリノラト）アルミニ
ウム（ＩＩＩ）（略称：Ａｌｑ）、ビス（２−メチル−８−キノリノラト）（４−フェニ
ルフェノラト）アルミニウム（ＩＩＩ）（略称：ＢＡｌｑ）などの金属錯体、３−（４−
ビフェニリル）−４−フェニル−５−（４−ｔｅｒｔ−ブチルフェニル）−１，２，４−
トリアゾール（略称：ＴＡＺ）、バソフェナントロリン（略称：ＢＰｈｅｎ）、バソキュ
プロイン（略称：ＢＣＰ）などの複素環化合物や、ＣｚＰＡ、ＤＮＡ、ｔ−ＢｕＤＮＡ、
ＤＰＡｎｔｈなどの縮合芳香族化合物、ＮＰＢ等の芳香族アミン化合物等を用いることが
できる。
【０２８０】
また、ホスト材料は複数種用いることができる。例えば、結晶化を抑制するためにルブレ
ン等の結晶化を抑制する物質をさらに添加しても良い。また、ゲスト材料へのエネルギー
移動をより効率良く行うためにＮＰＢ、あるいはＡｌｑ等をさらに添加しても良い。
【０２８１】
また、発光層を複数設け、それぞれの層の発光色を異なるものにすることで、発光素子全
体として、所望の色の発光を得ることができる。例えば、発光層を２つ有する発光素子に
おいて、第１の発光層の発光色と第２の発光層の発光色を補色の関係になるようにするこ
とで、発光素子全体として白色発光する発光素子を得ることも可能である。また、発光層
を３つ以上有する発光素子の場合でも同様である。
【０２８２】
〈電子輸送層２３０４〉
電子輸送層２３０４は、電子輸送性の高い物質を含む層である。
【０２８３】
電子輸送性の高い物質としては、正孔よりも電子の輸送性の高い有機化合物であれば良く
、特に、１０−６ｃｍ２／Ｖｓ以上の電子移動度を有する物質であることが好ましい。
【０２８４】
電子輸送性の高い物質としては、例えば、Ａｌｑ、ＢＡｌｑなど、キノリン骨格又はベン
ゾキノリン骨格を有する金属錯体等や、ビス［２−（２−ヒドロキシフェニル）ベンゾオ
キサゾラト］亜鉛（略称：Ｚｎ（ＢＯＸ）２）、ビス［２−（２−ヒドロキシフェニル）
ベンゾチアゾラト］亜鉛（略称：Ｚｎ（ＢＴＺ）２）などのオキサゾール系、チアゾール
系配位子を有する金属錯体などを用いることができる。また、ＴＡＺ、ＢＰｈｅｎ、ＢＣ
Ｐなども用いることができる。
【０２８５】
〈電子注入層２３０５〉
電子注入層２３０５は、電子注入性の高い物質を含む層である。
【０２８６】
電子注入性の高い物質としては、例えば、リチウム、セシウム、カルシウム、フッ化リチ
ウム、フッ化セシウム、フッ化カルシウム、酸化リチウム等のようなアルカリ金属、アル
カリ土類金属、又はそれらの化合物を用いることができる。また、フッ化エルビウムのよ
うな希土類金属化合物を用いることができる。また、上述した電子輸送層２３０４を構成
する物質を用いることもできる。
【０２８７】
〈電荷発生領域〉
電荷発生領域は、正孔輸送性の高い有機化合物に電子受容体（アクセプター）が添加され
た構成であっても、電子輸送性の高い有機化合物に電子供与体（ドナー）が添加された構
成であってもよい。また、これらの両方の構成が積層されていてもよい。
【０２８８】
正孔輸送性の高い有機化合物としては、例えば、上述の正孔輸送層に用いることができる
材料が挙げられ、電子輸送性の高い有機化合物としては、例えば、上述の電子輸送層に用
いることができる材料が挙げられる。
【０２８９】
また、電子受容体としては、７，７，８，８−テトラシアノ−２，３，５，６−テトラフ
ルオロキノジメタン（略称：Ｆ４−ＴＣＮＱ）、クロラニル等を挙げることができる。ま
た、遷移金属酸化物を挙げることができる。また元素周期表における第４族乃至第８族に
属する金属の酸化物を挙げることができる。具体的には、酸化バナジウム、酸化ニオブ、
酸化タンタル、酸化クロム、酸化モリブデン、酸化タングステン、酸化マンガン、酸化レ
ニウムは電子受容性が高いため好ましい。中でも特に、酸化モリブデンは大気中でも安定
であり、吸湿性が低く、扱いやすいため好ましい。
【０２９０】
また、電子供与体としては、アルカリ金属、アルカリ土類金属、希土類金属、又は元素周
期表における第１３族に属する金属及びその酸化物、炭酸塩を用いることができる。具体
的には、リチウム、セシウム、マグネシウム、カルシウム、イッテルビウム、インジウム
、酸化リチウム、炭酸セシウムなどを用いることが好ましい。また、テトラチアナフタセ
ンのような有機化合物を電子供与体として用いてもよい。
【０２９１】
なお、上述したＥＬ層２２０３及び中間層２２０７を構成する層は、それぞれ、蒸着法（
真空蒸着法を含む）、転写法、印刷法、インクジェット法、塗布法等の方法で形成するこ
とができる。
【０２９２】
なお、本実施の形態は、本明細書で示す他の実施の形態と適宜組み合わせることができる
。
【０２９３】
（実施の形態６）
本実施の形態では、本発明の一態様の発光装置を用いた電子機器について図１３乃至図１
５を用いて説明する。
【０２９４】
本発明の一態様の発光装置は、デジタルスチルカメラ等のカメラのフラッシュ、撮影機能
を有する携帯電話機（携帯電話、携帯電話装置ともいう）や携帯情報端末が備えるカメラ
のフラッシュ等に用いることができる。また、自転車や自動車のライト、灯台、装飾用途
などのイルミネーション等に用いることができる。
【０２９５】
図１３（Ａ）はデジタルスチルカメラの一例を示している。デジタルスチルカメラ７３０
０は、筐体７３０１、レンズ７３０４、発光装置７３１０等を有する。発光装置７３１０
には、本発明の一態様の発光装置が適用されている。発光装置７３１０の発光部７３０３
は、レンズ７３０４を囲うように配置されている。本発明の一態様の発光装置は可撓性を
有するため、湾曲させることができる。デジタルスチルカメラ７３００では、非発光部７
３０５が筐体７３０１の形状に沿って折り曲げられているため、発光部７３０３をレンズ
７３０４の周囲に広く配置できる。これにより、フラッシュを用いて人の顔を暗い場所で
撮影する場合であっても、例えば鼻の影が頬に投影されにくくすることができる。なお、
発光素子を非発光部７３０５に同一の工程で作製して設け、動作状態を示すインジケータ
に用いてもよい。
【０２９６】
図１３（Ｂ）（Ｃ）は、携帯電話機の一例を示している。携帯電話機７３５０の一面（表
面ともいえる）を図１３（Ｂ）に示し、該一面の背面（裏面ともいえる）を図１３（Ｃ）
に示す。
【０２９７】
携帯電話機７３５０は、筐体７３５１、表示部７３５２、レンズ７３５４、発光装置７３
６０等を有する。発光装置７３６０には、本発明の一態様の発光装置が適用されている。
発光装置７３６０は発光部７３５３及び非発光部７３５５を有し、発光部７３５３は、レ
ンズ７３５４を囲うように配置されている。発光部７３５３は、非発光時に鏡として用い
る仕様であってもよい。
【０２９８】
図１４（Ａ）は、携帯電話機７３５０の発光装置７３６０が２つの発光パネル７３５３ａ
、７３５３ｂを有する変形例である。
【０２９９】
図１５に図１４（Ａ）における発光装置７３６０のブロック図を示す。発光装置７３６０
は、２つの発光パネル７３５３ａ、７３５３ｂ、駆動回路７３０、２つの定電流電源７４
０ａ、７４０ｂ、及び２つの制御装置７５０ａ、７５０ｂを有する。
【０３００】
２つの制御装置７５０ａ、７５０ｂには、携帯電話機７３５０の使用者が選択した条件に
対応した信号や、各種センサからの検出信号が供給される。２つの制御装置７５０ａ、７
５０ｂは、供給された信号に応じた制御信号をそれぞれ供給する。
【０３０１】
定電流電源７４０ａは、制御装置７５０ａから供給された制御信号に応じた定電流パルス
を発光パネル７３５３ａに供給する。定電流電源７４０ｂは、制御装置７５０ｂから供給
された制御信号に応じた定電流パルスを発光パネル７３５３ｂに供給する。したがって、
２つの発光パネル７３５３ａ、７３５３ｂはそれぞれ独立に光量が調整される。これによ
り、発光装置が発する光量をより幅広い範囲で調整できるようになり、好ましい。
【０３０２】
また、それぞれ色や色温度の異なる発光パネルを用いてもよい。例えば、２つの発光パネ
ルの色温度が異なる場合は、それぞれの発光パネルの光量を調整することで発光装置が適
切な色温度の光を発することができる。
【０３０３】
また、駆動回路７３０は、実施の形態１に示したマイコン１３７、スタートスイッチ回路
１３１、パルス間隔変調回路１３５を含み、同様の構成を適用できる。２つの発光パネル
７３５３ａ、７３５３ｂは、それぞれ独立に駆動回路７３０から制御パルス信号が供給さ
れる。つまり、駆動回路７３０は、２つの発光パネル７３５３ａ、７３５３ｂに同一の制
御パルス信号を供給してもよいし、異なる制御パルス信号を供給してもよい。
【０３０４】
なお、発光装置７３６０が２つ以上の駆動回路を有していてもよい。また、発光装置７３
６０が３つ以上の発光パネルを有していてもよい。また、光量の調整ができない発光パネ
ルと組み合わせてもよい。
【０３０５】
図１５に示す構成を有する発光装置７３６０では、発光パネル７３５３ａ、７３５３ｂを
それぞれ独立に発光させることができる。例えば、一方の発光パネルの発光のみで十分で
ある場合は、一方の発光パネルのみを発光させ、より多くの光量が必要なときのみ双方の
発光パネルを発光させてもよい。これにより、発光装置の消費電力や発光パネルの劣化を
抑制できる。
【０３０６】
図１４（Ｂ）は、自転車の一例を示している。自転車７４００は、ライト７４０５を有す
る。ライト７４０５には、本発明の一態様の発光装置が適用されている。
【０３０７】
図１４（Ｃ）は、自動車の一例を示している。自動車７４１０は、ライト７４１５を有す
る。ライト７４１５には、本発明の一態様の発光装置が適用されている。
【０３０８】
本発明の一態様の発光装置を自転車や自動車のライトに用いる場合、例えば、光センサを
用いて周囲の明るさを検知し、周囲が十分明るいときはライトを点灯しない、周囲が十分
暗いときはライトを点滅させる、周囲の明るさが不十分ではあるが光が検出できるときは
、ライトを点滅させ、かつその光量を多くする、等の制御を行うことができる。このよう
に、本発明の一態様の発光装置は、適宜最適な光量に調整して発光を行うことができるた
め、省電力なライトを実現できる。
【０３０９】
なお、本実施の形態は、本明細書で示す他の実施の形態と適宜組み合わせることができる
。
【実施例１】
【０３１０】
本実施例では、本発明の一態様の発光パネルについて説明する。
【０３１１】
本実施例で作製した発光パネルの平面図を図９（Ａ）に示し、図９（Ａ）における一点鎖
線Ｘ１−Ｙ１間の断面図を図１０（Ｂ）に示す。なお、図９（Ａ）では発光パネルの構成
の一部を省略して示す。
【０３１２】
図１０（Ｂ）に示すように、本実施例の発光パネルは、光取り出し構造を有する支持基板
１２２９上に絶縁膜１２２４を介して発光素子１２５０が設けられている。絶縁膜１２２
４上には補助配線１２０６が設けられており、第１の電極１２０１と電気的に接続する。
補助配線１２０６の一部は露出しており端子として機能する。第１の電極１２０１の端部
及び導電層１２１０の端部は隔壁１２０５で覆われている。また、第１の電極１２０１を
介して補助配線１２０６を覆う隔壁１２０５が設けられている。発光素子１２５０は、支
持基板１２２９、封止基板１２２８、及び封止材１２２７により封止されている。
【０３１３】
本実施例の発光パネルでは、支持基板１２２９としてポリエステル系樹脂の拡散フィルム
を用い、封止基板１２２８として薄いガラス層及びポリエチレンテレフタレート（ＰＥＴ
）層を有する基板を用いた。これらの基板は可撓性を有し、本実施例の発光パネルは、フ
レキシブルな発光パネルである。また、本実施例の発光パネルにおける発光領域の面積は
５６ｍｍ×４２ｍｍである。
【０３１４】
発光素子１２５０はボトムエミッション構造の有機ＥＬ素子であり、具体的には、支持基
板１２２９上に可視光を透過する第１の電極１２０１を有し、第１の電極１２０１上にＥ
Ｌ層１２０２を有し、ＥＬ層１２０２上に可視光を反射する第２の電極１２０３を有する
。
【０３１５】
本実施例の発光パネルの作製方法について説明する。
【０３１６】
まず、作製基板であるガラス基板上に、下地膜、剥離層（タングステン膜）、被剥離層を
この順で形成した。本実施例において、被剥離層は、絶縁膜１２２４、補助配線１２０６
、第１の電極１２０１、及び隔壁１２０５を含む。
【０３１７】
補助配線１２０６は絶縁膜１２２４上に計７本形成した。このとき補助配線１２０６のピ
ッチが５．３ｍｍになるように、また幅Ｌ２が３２２μｍとなるようにした。第１の電極
１２０１としては、珪素、インジウムおよび錫を含む金属酸化物（ＩＴＳＯ）膜を形成し
た。補助配線１２０６を覆う隔壁１２０５は、幅Ｌ１が３３０μｍとなるように計７本形
成した。
【０３１８】
次に、仮支持基板と、第１の電極１２０１と、を、剥離用接着剤を用いて接着し、剥離層
を用いて被剥離層を作製基板より剥離した。これにより、被剥離層は仮支持基板側に設け
られる。
【０３１９】
続いて、作製基板から剥離され、絶縁膜１２２４が露出した被剥離層に紫外光硬化型接着
剤を用いて支持基板１２２９を貼り合わせた。支持基板１２２９としては、前述の通り、
ポリエステル系樹脂の拡散フィルムを用いた。その後、仮支持基板を剥離し、支持基板１
２２９上に第１の電極１２０１を露出させた。
【０３２０】
次に、第１の電極１２０１上にＥＬ層１２０２及び第２の電極１２０３を形成した。ＥＬ
層１２０２は、第１の電極１２０１側から、青色の発光を呈する蛍光性化合物を含む発光
層を有する第１のＥＬ層、中間層、並びに、緑色の発光を呈する燐光性化合物を含む発光
層及び赤色の発光を呈する燐光性化合物を含む発光層を有する第２のＥＬ層がこの順で積
層した。第２の電極１２０３には、銀を用いた。
【０３２１】
次に、封止材１２２７であるゼオライトを含む光硬化性樹脂を塗布し、紫外光を照射する
ことで硬化させた。そして、紫外光硬化型接着剤を用いて、支持基板１２２９と、封止基
板１２２８である、薄いガラス層及びポリエチレンテレフタレート（ＰＥＴ）層を有する
基板と、を貼り合わせた。
【０３２２】
以上により得られた発光パネルの動作特性について測定を行った。このときの発光パネル
の電圧−輝度特性を、図１６の凡例のうち「初期」として示す。また、発光パネルの発光
スペクトルを図１７に示す。図１７に示すように、本実施例の発光パネルは、青色の発光
を呈する蛍光性化合物、緑色の発光を呈する燐光性化合物、赤色の発光を呈する燐光性化
合物それぞれに由来する光がいずれも含まれる発光スペクトルを示すことがわかった。
【０３２３】
その後、該発光パネルを用いた発光装置の信頼性試験を行った。信頼性試験としては、発
光パネルを、間隔をあけて３０００回又は１万回発光させた。発光１回につき、発光パネ
ルに２Ａの電流を５０ミリ秒（ｍｓ）間流した。このときの発光素子の電流密度は９０ｍ
Ａ／ｃｍ２に相当する。また、発光の間隔（非発光の時間）は１０秒とした。
【０３２４】
図１６に、３千回発光させた後、及び１万回発光させた後の発光パネルの電圧−輝度特性
を示す。
【０３２５】
図１６から、発光パネルの電圧−輝度特性は、１万回発光させた後でも、信頼性試験前と
ほとんど変わらず、発光パネルの劣化が見られなかった。このことから、本実施例の発光
パネルの信頼性の高さが示された。
【実施例２】
【０３２６】
本実施例では、本発明の一態様に適用できる有機ＥＬ素子について説明する。
【０３２７】
本実施例では、白色発光を呈する有機ＥＬ素子にどれだけ電流を流すことができるかを調
べた。用いた有機ＥＬ素子の発光領域は２ｍｍ×２ｍｍである。発光１回につき、有機Ｅ
Ｌ素子に電流を５０ミリ秒（ｍｓ）間流した。
【０３２８】
この結果、有機ＥＬ素子に６０ｍＡの電流を流すことができた（電流密度１５００ｍＡ／
ｃｍ２に相当）。しかし、６８ｍＡの電流を流す（電流密度１７００ｍＡ／ｃｍ２に相当
）と、有機ＥＬ素子はショートした。
【０３２９】
このことから、有機ＥＬ素子を適用した本発明の一態様の発光装置では、電流密度が１７
００ｍＡ／ｃｍ２未満の範囲で、光量を調整することができると示唆された。このことか
ら、無機材料を用いた発光ダイオード等に比べて、有機ＥＬ素子には大電流を流すことが
できると考えられる。
【実施例３】
【０３３０】
本実施例では、本発明の一態様の発光装置について説明する。
【０３３１】
図１８は、本発明の一態様の発光装置の構成を説明するブロック図である。
【０３３２】
本実施例で説明する発光装置１０４は、開閉回路１１０、発光パネル１２０ｐ、駆動回路
１３０、及び定電流電源１４０を有し、駆動回路１３０はマイコン１３７、スタートスイ
ッチ回路１３３ａおよびパルス間隔変調回路１３５を含む。なお、各構成は上記実施の形
態１の説明を参酌するものとする。
【０３３３】
具体的には、本実施例の開閉回路１１０は、電流の大きさが２Ａ、幅が５０ミリ秒の定電
流パルスを、発光パネル１２０ｐに０．５秒以上５秒以下の間隔で間欠的に供給する。
【０３３４】
本実施例で作製した発光パネルの平面図を図９（Ｂ）に示し、図９（Ｂ）における一点鎖
線Ｘ２−Ｙ２間の断面図を図１１（Ａ）に示し、一点鎖線Ｘ３−Ｙ３間の断面図を図１１
（Ｃ）に示す。なお、図９（Ｂ）では発光パネルの構成の一部を省略して示す。
【０３３５】
本実施例の発光パネルは、支持基板１２２０上に絶縁膜１２２４を介して発光素子１２５
０が設けられている。絶縁膜１２２４上には補助配線１２０６が設けられており、第１の
電極１２０１と電気的に接続する。補助配線１２０６の一部は露出しており端子として機
能する。第１の電極１２０１の端部及び導電層１２１０の端部は隔壁１２０５で覆われて
いる。また、第１の電極１２０１を介して補助配線１２０６を覆う隔壁１２０５が設けら
れている。発光素子１２５０は、支持基板１２２０、封止基板１２２８、及び封止材１２
２７により封止されている。
【０３３６】
本実施例の発光パネルでは、支持基板１２２０としてポリエステル系樹脂の拡散フィルム
を用い、封止基板１２２８として薄いガラス層及びポリエチレンテレフタレート（ＰＥＴ
）層を有する基板を用いた。これらの基板は可撓性を有し、本実施例の発光パネルは、フ
レキシブルな発光パネルである。なお、本実施例の支持基板１２２０は、光取り出し構造
を有しているといえる。
【０３３７】
本実施例の発光パネルにおける発光領域は、５０ｍｍ×５２．９ｍｍのうち、直径２０ｍ
ｍの円形の非発光領域を除いた領域である。該非発光領域には、発光パネルの開口部を含
む。該非発光領域には、補助配線１２０６及び第１の電極１２０１を有さない（図１１（
Ａ）参照）。これにより、開口を設ける際に、発光素子１２５０の第１の電極１２０１や
補助配線１２０６と第２の電極１２０３とが接してショートすることを防止できる。
【０３３８】
発光素子１２５０はボトムエミッション構造の有機ＥＬ素子であり、具体的には、支持基
板１２２０上に可視光を透過する第１の電極１２０１を有し、第１の電極１２０１上にＥ
Ｌ層１２０２を有し、ＥＬ層１２０２上に可視光を反射する第２の電極１２０３を有する
。
【０３３９】
本実施例の発光パネルの作製方法について説明する。
【０３４０】
まず、作製基板であるガラス基板上に、下地膜、剥離層（タングステン膜）、被剥離層を
この順で形成した。本実施例において、被剥離層は、絶縁膜１２２４、補助配線１２０６
、第１の電極１２０１、及び隔壁１２０５を含む。
【０３４１】
補助配線１２０６は絶縁膜１２２４上に計１２５本形成した。このとき補助配線１２０６
のピッチが４２０μｍになるように、また幅Ｌ２が３μｍとなるようにした。第１の電極
１２０１としては、珪素、インジウムおよび錫を含む金属酸化物（ＩＴＳＯ）膜を形成し
た。補助配線１２０６を覆う隔壁１２０５は、幅Ｌ１が６μｍとなるように計１２５本形
成した。補助配線の幅が３μｍと細いため、本実施例の発光パネルは、発光時に補助配線
が視認されにくい。
【０３４２】
次に、仮支持基板と、第１の電極１２０１と、を、剥離用接着剤を用いて接着し、剥離層
を用いて被剥離層を作製基板より剥離した。これにより、被剥離層は仮支持基板側に設け
られる。
【０３４３】
続いて、作製基板から剥離され、絶縁膜１２２４が露出した被剥離層に紫外光硬化型接着
剤を用いて支持基板１２２０を貼り合わせた。支持基板１２２０としては、前述の通り、
ポリエステル系樹脂の拡散フィルムを用いた。その後、仮支持基板を剥離し、支持基板１
２２９上に第１の電極１２０１を露出させた。
【０３４４】
次に、第１の電極１２０１上にＥＬ層１２０２及び第２の電極１２０３を形成した。ＥＬ
層１２０２は、第１の電極１２０１側から、青色の発光を呈する蛍光性化合物を含む発光
層を有する第１のＥＬ層、中間層、並びに、緑色の発光を呈する燐光性化合物を含む発光
層及び橙色の発光を呈する燐光性化合物を含む発光層を有する第２のＥＬ層がこの順で積
層した。第２の電極１２０３には、銀を用いた。
【０３４５】
次に、封止材１２２７であるゼオライトを含む紫外光硬化性樹脂を塗布し、紫外光を照射
することで硬化させた。そして、紫外光硬化型接着剤を用いて、支持基板１２２０と、封
止基板１２２８である、薄いガラス層及びポリエチレンテレフタレート（ＰＥＴ）層を有
する基板と、を貼り合わせた。
【０３４６】
そして、発光領域に囲まれた非発光領域に重ねて円形の開口部を設けた。本実施例では、
波長が紫外領域のレーザ（ＵＶレーザ）を用いて発光パネルの一部を開口した。開口を設
ける機構としてはレーザだけでなく、パンチ等も挙げられる。パンチ等で開口する場合、
発光パネルが加圧されることにより、膜剥がれ（特にＥＬ層１２０２等の膜剥がれ）が生
じる場合がある。レーザを用いて開口することで膜剥がれを抑制でき、信頼性の高い発光
パネルを作製できるため、好ましい。
【０３４７】
そして、開口部を設けることで露出した発光パネルの端部を、紫外光硬化型接着剤を用い
て覆い、封止材１２２６を設けた。
【０３４８】
以上により得られた発光パネルの動作特性について測定を行った。このときの発光パネル
の電圧−輝度特性を、図１９の凡例のうち「初期」として示す。また、発光パネルの発光
スペクトルを図２０に示す。図２０に示すように、本実施例の発光パネルは、青色の発光
を呈する蛍光性化合物、緑色の発光を呈する燐光性化合物、橙色の発光を呈する燐光性化
合物それぞれに由来する光がいずれも含まれる発光スペクトルを示すことがわかった。
【０３４９】
なお、発光パネル１２０ｐは、２Ａの電流が供給されるとおよそ１０万ｃｄ／ｍ２の輝度
で発光する。
【０３５０】
その後、該発光パネルを用いた発光装置の信頼性試験を行った。信頼性試験としては、発
光パネルを、間隔をあけて５万回発光させた。発光１回につき、発光パネルに２Ａの電流
を５０ミリ秒（ｍｓ）間流した。このときの発光素子の電流密度は８７ｍＡ／ｃｍ２に相
当する。また、発光の間隔（非発光の時間）は０．５秒（ｓ）とした。
【０３５１】
図１９に、５万回発光させた後の発光パネルの電圧−輝度特性を示す。
【０３５２】
図１９から、発光パネルの電圧−輝度特性は、５万回発光させた後でも、信頼性試験前と
ほとんど変わらず、発光パネルの劣化が見られなかった。発光パネル１２０ｐを５０ミリ
秒の長さ、０．５秒間隔で、５万回点滅させても、発光パネル１２０ｐが実際に点灯して
いる時間は４０分ほどに過ぎないうえ、発光に伴う発熱が発光パネルに与える影響が少な
いことが示された。
【０３５３】
本実施例で説明する発光装置１０４は、有機ＥＬ素子を用いた発光パネル１２０ｐを有す
る。これにより、発光部を面状に広げることができる。その結果、小型の発光装置を提供
できる。
【０３５４】
また、発光パネル１２０ｐは、その形態を他の発光素子（例えばＬＥＤ）に比べて軽く、
薄く且つ大きな面積にすることができる。これにより、発光パネルが視界に占める割合を
容易に大きくすることができる。
【０３５５】
また、およそ１０万ｃｄ／ｍ２の輝度で間欠的に発光する発光パネルを直視すると、きわ
めて眩しく感じられる。
【０３５６】
このような発光装置１０４は、例えば防犯装置に用いることができる。具体的には、暴漢
に襲われた際に、発光装置１０４を暴漢に向けて間欠的に発光させる。これにより、暴漢
が怯み犯罪を躊躇させることができる。
【０３５７】
また、携帯カメラやカメラ付携帯電話に設けられた発光装置１０４は、カメラのフラッシ
ュと防犯装置を兼ねることができる。なお、定電流電源１４０が供給する電流の大きさを
、用途や周囲の明るさに応じて変えてもよい。具体的には、防犯装置として用いる場合の
輝度をカメラのフラッシュに用いる場合の輝度以上としてもよい。
【０３５８】
また、発光装置１０４を自転車等の警告灯に用いると、他の通行車両や通行人等に自らの
位置を認知させることができる。これにより、事故の発生を未然に防ぐことができる。
【符号の説明】
【０３５９】
１００    防犯装置
１００Ｂ    防犯装置
１００Ｃ    防犯装置
１０１    筐体
１０１ａ    面
１０１ｂ    面
１０１ｃ    面
１０４    発光装置
１１０    開閉回路
１２０    発光素子
１２０ｐ    発光パネル
１３０    駆動回路
１３１    スタートスイッチ回路
１３２    開閉器
１３２ａ    開閉器
１３２ｂ    開閉器
１３２ｃ    開閉器
１３２ｄ    開閉器
１３２ｓ    ストラップ
１３２ｔ    開閉器
１３３    人感センサ回路
１３３ａ    スタートスイッチ回路
１３５    パルス間隔変調回路
１３６    可変抵抗
１３７    マイコン
１３７Ｂ    マイコン
１４０    定電流電源
１４０Ａ    定電流電源
１４０Ｃ    定電流電源
１４５    制御回路
１５０    撮像部
１５５    光学系
１５６    マイク
１６０    位置情報取得回路
１９０    通信部
２００    情報処理装置
２００Ｂ    情報処理装置
２０１    筐体
２０１Ｂ    筐体
２０１Ｈ    ヒンジ部
２１０    演算部
２２０    入出力部
２２１    入力機構
２２２    出力機構
４０１    支持基板
４０３    発光素子
４０５    封止基板
４０７    封止材
４０９ａ    端子
４０９ｂ    端子
４１１ａ    構造
４１１ｂ    構造
４１３    平坦化層
４１５    空間
４１７    補助配線
４１９    絶縁層
４２１    電極
４２３    ＥＬ層
４２５    電極
７３０    駆動回路
７４０ａ    定電流電源
７４０ｂ    定電流電源
７５０ａ    制御装置
７５０ｂ    制御装置
１２０１    電極
１２０２    ＥＬ層
１２０３    電極
１２０５    隔壁
１２０６    補助配線
１２０９    構造
１２１０    導電層
１２２０    支持基板
１２２４    絶縁膜
１２２６    封止材
１２２７    封止材
１２２８    封止基板
１２２９    支持基板
１２５０    発光素子
２２０１    電極
２２０３    ＥＬ層
２２０３ａ    ＥＬ層
２２０３ｂ    ＥＬ層
２２０５    電極
２２０７    中間層
２３０１    正孔注入層
２３０２    正孔輸送層
２３０３    発光層
２３０４    電子輸送層
２３０５    電子注入層
７３００    デジタルスチルカメラ
７３０１    筐体
７３０３    発光部
７３０４    レンズ
７３０５    非発光部
７３１０    発光装置
７３５０    携帯電話機
７３５１    筐体
７３５２    表示部
７３５３    発光部
７３５３ａ    発光パネル
７３５３ｂ    発光パネル
７３５４    レンズ
７３５５    非発光部
７３６０    発光装置
７４００    自転車
７４０５    ライト
７４１０    自動車
７４１５    ライト
ＣＰＵ    演算部
ＤＩＳＰ    表示部
【図１】
2020095734.tif 000003
【図２】
2020095734.tif 000004
【図３】
2020095734.tif 000005
【図４】
2020095734.tif 000006
【図５】
2020095734.tif 000007
【図６】
2020095734.tif 000008
【図７】
2020095734.tif 000009
【図８】
2020095734.tif 000010
【図９】
2020095734.tif 000011
【図１０】
2020095734.tif 000012
【図１１】
2020095734.tif 000013
【図１２】
2020095734.tif 000014
【図１３】
2020095734.tif 000015
【図１４】
2020095734.tif 000016
【図１５】
2020095734.tif 000017
【図１６】
2020095734.tif 000018
【図１７】
2020095734.tif 000019
【図１８】
2020095734.tif 000020
【図１９】
2020095734.tif 000021
【図２０】
2020095734.tif 000022